(57)【特許請求の範囲】
【請求項１】
ページング決定方法であって、
複数の端末デバイスがＭ個のグループに分類され、Ｍは１よりも大きい整数であり、
前記方法は、
ネットワークデバイスによって、第１ページングオケージョンにおいてページングされる第１端末デバイスが、前記Ｍ個のグループに属する第１グループに属するかどうかを決定することと、
前記ネットワークデバイスによって、前記第１端末デバイスが前記第１グループに属する場合には、前記第１グループに基づく送信方式で、あるいは、前記第１端末デバイスが前記Ｍ個のグループに含まれない異なるグループにおいて分布している場合には、前記第１端末デバイスに基づく送信方式で、制御情報を送信することであり、該制御情報はページング情報を示すために使用され、該ページング情報は前記第１端末デバイスのデバイス識別子を有する、前記送信することと
を有し、
前記第１グループに基づく送信方式で送信される前記制御情報は、第１フィールドを有し、該第１フィールドはＭビットを有し、該Ｍビットは前記Ｍ個のグループに対応し、前記Ｍビットにおける前記第１グループに対応する第１ビットの値は、前記第１グループ内の少なくとも１つの端末デバイスがページングされることを示すために使用され、又は
前記第１グループに基づく送信方式で送信される前記制御情報は、第１フィールドを有し、該第１フィールドはＮビットを有し、該Ｎビットを含むビット列は、前記第１グループ内の少なくとも１つの端末デバイスがページングされることを示すために使用される、
方法。
【請求項２】
前記Ｍ個のグループは、前記複数の端末デバイスのデバイス識別子に基づく分類により取得され、
ネットワークデバイスによって、第１ページングオケージョンにおいてページングされる第１端末デバイスが、前記Ｍ個のグループに属する第１グループに属するかどうかを決定することは、
前記ネットワークデバイスによって、前記第１端末デバイスのデバイス識別子に基づいて、前記第１端末デバイスが前記第１グループに属すると決定することを有する、
請求項１に記載の方法。
【請求項３】
前記ネットワークデバイスによって、前記第１グループに基づく送信方式で制御情報を送信することは、
前記ネットワークデバイスによって、前記第１グループに対応する第１グループ識別情報を決定することと、
前記ネットワークデバイスによって、前記第１グループ識別情報に基づいて前記制御情報を生成することと、
前記ネットワークデバイスによって、前記制御情報を送信することと
を有する、
請求項１又は２に記載の方法。
【請求項４】
前記第１グループ識別情報は、第１ページング無線ネットワーク一時識別子（Ｐ−ＲＮＴＩ）であり、
前記ネットワークデバイスによって、前記第１グループ識別情報に基づいて前記制御情報を生成することは、
前記ネットワークデバイスによって、前記第１Ｐ−ＲＮＴＩを使用することによってスクランブリングにより前記制御情報を生成することを有する、
請求項３に記載の方法。
【請求項５】
前記ネットワークデバイスによって、前記第１グループに基づく送信方式で制御情報を送信することは、
前記ネットワークデバイスによって、前記第１グループに対応する第１リソースを決定することであり、該第１リソースは、第１時間周波数リソース、第１時間領域リソース、第１周波数領域リソース、又は第１符号領域リソースのうちのいずれか１つである、前記第１リソースを決定することと、
前記ネットワークデバイスによって、前記第１リソースで前記制御情報を送信することと
を有する、
請求項１又は２に記載の方法。
【請求項６】
ページング決定方法であって、
複数の端末デバイスがＭ個のグループに分類され、Ｍは１よりも大きい整数であり、
前記方法は、
第２端末デバイスによって、該第２端末デバイスが属する第２グループを決定することであり、該第２グループは前記Ｍ個のグループに属する、前記決定することと、
前記第２端末デバイスによって、前記第２グループに基づき第１ページングオケージョンにおいて、ネットワークデバイスによって送信される制御情報をリッスンすることであり、該制御情報はページング情報を示すために使用され、該ページング情報は少なくとも１つの端末デバイスのデバイス識別子を有し、前記少なくとも１つの端末デバイスは、前記第１ページングオケージョンにおいてページングされる端末デバイスであり、前記少なくとも１つの端末デバイスが前記Ｍ個のグループのうちのいずれか１グループに属する場合には、前記制御情報は、前記１グループに基づく送信方式で前記ネットワークデバイスによって送信され、あるいは、前記少なくとも１つの端末デバイスが前記Ｍ個のグループに含まれない異なるグループにおいて分布している場合には、前記制御情報は、前記少なくとも１つの端末デバイスに基づく送信方式で前記ネットワークデバイスによって送信される、前記リッスンすることと、
前記第２端末デバイスによって、前記制御情報のリッスン結果に基づいて、前記第２端末デバイスがページングされるかどうかを判定することと
を有し、
前記１グループに基づく送信方式で送信される前記制御情報は、第１フィールドを有し、該第１フィールドはＭビットを有し、該Ｍビットは前記Ｍ個のグループに対応し、前記Ｍビットにおける前記１グループに対応する第１ビットの値は、前記１グループ内の少なくとも１つの端末デバイスがページングされることを示すために使用され、又は
前記１グループに基づく送信方式で送信される前記制御情報は、第１フィールドを有し、該第１フィールドはＮビットを有し、該Ｎビットを含むビット列は、前記１グループ内の少なくとも１つの端末デバイスがページングされることを示すために使用される、
方法。
【請求項７】
前記Ｍ個のグループは、前記複数の端末デバイスのデバイス識別子に基づく分類により取得され、
第２端末デバイスによって、該第２端末デバイスが属する第２グループを決定することは、
前記第２端末デバイスによって、該第２端末デバイスのデバイス識別子に基づいて前記第２グループを決定することを有する、
請求項６に記載の方法。
【請求項８】
前記第２端末デバイスによって、前記第２グループに基づき第１ページングオケージョンにおいて、ネットワークデバイスによって送信される制御情報をリッスンすることは、
前記第２端末デバイスによって、前記第２グループに対応する第２グループ識別情報を決定することと、
前記第２端末デバイスによって、前記第２グループ識別情報に基づき前記第１ページングオケージョンにおいて、前記ネットワークデバイスによって送信される前記制御情報をリッスンすることと
を有し、
前記第２端末デバイスによって、前記制御情報のリッスン結果に基づいて、前記第２端末デバイスがページングされるかどうかを判定することは、
前記第２端末デバイスがリッスンにより前記制御情報を取得する場合に、前記第２端末デバイスによって、前記制御情報に基づいて前記ページング情報を受信し、該ページング情報に基づいて、前記第２端末デバイスがページングされるかどうかを判定すること、又は
前記第２端末デバイスがリッスンにより前記制御情報を取得することができない場合に、前記第２端末デバイスによって、該第２端末デバイスがページングされないと決定すること
を有する、
請求項６又は７に記載の方法。
【請求項９】
前記第２グループ識別情報は、第２ページング無線ネットワーク一時識別子（Ｐ−ＲＮＴＩ）である、
請求項８に記載の方法。
【請求項１０】
前記第２端末デバイスによって、前記第２グループに基づき第１ページングオケージョンにおいて、ネットワークデバイスによって送信される制御情報をリッスンすることは、
前記第２端末デバイスによって、前記第２グループに対応する第２リソースを決定することであり、該第２リソースは、第２時間周波数リソース、第２時間領域リソース、第２周波数領域リソース、又は第２符号領域リソースのうちのいずれか１つである、前記第２リソースを決定することと、
前記第２端末デバイスによって、前記第２リソースで前記第１ページングオケージョンにおいて、前記ネットワークデバイスによって送信される前記制御情報をリッスンすることと
を有し、
前記第２端末デバイスによって、前記制御情報のリッスン結果に基づいて、前記第２端末デバイスがページングされるかどうかを判定することは、
前記第２端末デバイスがリッスンにより前記制御情報を取得する場合に、前記第２端末デバイスによって、前記制御情報に基づいて前記ページング情報を受信し、該ページング情報に基づいて、前記第２端末デバイスがページングされるかどうかを判定すること、又は
前記第２端末デバイスがリッスンにより前記制御情報を取得することができない場合に、前記第２端末デバイスによって、該第２端末デバイスがページングされないと決定すること
を有する、
請求項６又は７に記載の方法。
【請求項１１】
ページング決定方法であって、
複数の端末デバイスがＭ個のグループに分類され、Ｍは１よりも大きい整数であり、
前記方法は、
第２端末デバイスによって、該第２端末デバイスが属する第２グループを決定することであり、該第２グループは前記Ｍ個のグループに属する、前記決定することと、
前記第２端末デバイスによって、第１ページングオケージョンにおいて、ネットワークデバイスによって送信される制御情報を受信することであり、該制御情報はページング情報を示すために使用され、該ページング情報は少なくとも１つの端末デバイスのデバイス識別子を有し、前記少なくとも１つの端末デバイスは、前記第１ページングオケージョンにおいてページングされる端末デバイスであり、前記少なくとも１つの端末デバイスが前記Ｍ個のグループのうちのいずれか１グループに属する場合に、前記制御情報は、前記１グループに基づく送信方式で前記ネットワークデバイスによって送信され、あるいは、前記少なくとも１つの端末デバイスが前記Ｍ個のグループに含まれない異なるグループにおいて分布している場合には、前記制御情報は、前記少なくとも１つの端末デバイスに基づく送信方式で前記ネットワークデバイスによって送信され、前記制御情報は第１フィールドを有し、該第１フィールドはＭビットを有し、該Ｍビットは前記Ｍ個のグループに対応し、各ビットの値は、対応するグループ内の少なくとも１つの端末デバイスがページングされることを示すために使用されるか、あるいは、各ビットの値は、対応するグループ内の端末デバイスがページングされないことを示すために使用される、前記受信することと、
前記第２端末デバイスによって、前記第１フィールド内の第２ビットに基づいて、前記第２端末デバイスがページングされるかどうかを判定することであり、前記第２ビットは前記Ｍビットに属する、前記判定することと
を有する方法。
【請求項１２】
前記Ｍ個のグループは、前記複数の端末デバイスのデバイス識別子に基づく分類により取得され、
第２端末デバイスによって、該第２端末デバイスが属する第２グループを決定することは、
前記第２端末デバイスによって、該第２端末デバイスのデバイス識別子に基づいて前記第２グループを決定することを有する、
請求項１１に記載の方法。
【請求項１３】
ページング決定方法であって、
複数の端末デバイスがＭ個のグループに分類され、Ｍは１よりも大きい整数であり、
前記方法は、
第２端末デバイスによって、該第２端末デバイスが属する第２グループを決定することであり、該第２グループは前記Ｍ個のグループに属する、前記決定することと、
前記第２端末デバイスによって、第１ページングオケージョンにおいて、ネットワークデバイスによって送信される制御情報を受信することであり、該制御情報はページング情報を示すために使用され、該ページング情報は少なくとも１つの端末デバイスのデバイス識別子を有し、前記少なくとも１つの端末デバイスは、前記第１ページングオケージョンにおいてページングされる端末デバイスであり、前記少なくとも１つの端末デバイスが前記Ｍ個のグループのうちのいずれか１グループに属する場合には、前記制御情報は、前記１グループに基づく送信方式で前記ネットワークデバイスによって送信され、前記少なくとも１つの端末デバイスが前記Ｍ個のグループに含まれない異なるグループにおいて分布している場合には、前記制御情報は、前記少なくとも１つの端末デバイスに基づく送信方式で前記ネットワークデバイスによって送信され、前記制御情報は第１フィールドを有し、該第１フィールドはＮビットを有し、該Ｎビットを含むビット列は、前記いずれか１グループ内の少なくとも１つの端末デバイスがページングされることを示すために使用される、前記受信することと、
前記第２グループ内の少なくとも１つの端末デバイスがページングされることを前記第１フィールドが示す場合に、前記第２端末デバイスによって、前記制御情報に基づいて前記ページング情報を受信し、該ページング情報に基づいて、前記第２端末デバイスがページングされるかどうかを判定すること、又は前記第２グループ内の少なくとも１つの端末デバイスがページングされることを前記第１フィールドが示さない場合に、前記第２端末デバイスによって、該第２端末デバイスがページングされないと決定することと
を有する方法。
【請求項１４】
前記Ｍ個のグループは、前記複数の端末デバイスのデバイス識別子に基づく分類により取得され、
第２端末デバイスによって、該第２端末デバイスが属する第２グループを決定することは、
前記第２端末デバイスによって、該第２端末デバイスのデバイス識別子に基づいて前記第２グループを決定することを有する、
請求項１３に記載の方法。
【請求項１５】
プロセッサ、トランシーバ、及びメモリを有するネットワークデバイスであって、
前記メモリは、命令を記憶するよう構成され、
前記プロセッサは、前記メモリに記憶されている前記命令を実行するよう構成され、
前記プロセッサが前記メモリに記憶されている前記命令を実行するときに、前記ネットワークデバイスは、請求項１乃至５のうちいずれか一項に記載の方法を実行する、
前記ネットワークデバイス。
【請求項１６】
プロセッサ、トランシーバ、及びメモリを有する装置であって、
前記メモリは、命令を記憶するよう構成され、
前記プロセッサは、前記メモリに記憶されている前記命令を実行するよう構成され、
前記プロセッサが前記メモリに記憶されている前記命令を実行するときに、前記装置は、請求項６乃至１４のうちいずれか一項に記載の方法を実行する、
前記装置。
【請求項１７】
コンピュータによって実行されるときに、該コンピュータに、請求項１乃至５のうちいずれか一項に記載の方法のステップを実行させる命令を有するコンピュータ可読記憶媒体。
【請求項１８】
プロセッサによって実行されるときに、該プロセッサに、請求項１乃至５のうちいずれか一項に記載の方法を実行させるプログラム。
【請求項１９】
コンピュータによって実行されるときに、該コンピュータに、請求項６乃至１４のうちいずれか一項に記載の方法のステップを実行させる命令を有するコンピュータ可読記憶媒体。
【請求項２０】
プロセッサによって実行されるときに、該プロセッサに、請求項６乃至１４のうちいずれか一項に記載の方法を実行させるプログラム。
【発明の詳細な説明】
【技術分野】
【０００１】
本発明の実施形態は、通信分野に、より具体的には、通信分野におけるページング決定方法及び装置に関係がある。
【背景技術】
【０００２】
現在、端末デバイスページング方法が知られている。既存のロング・ターム・エボリューション（Long  Term  Evolution，ＬＴＥ）システムでは、ページング方法はダウンリンクデータチャネル上で運ばれる。ネットワークデバイスは、ダウンリンク制御情報ＤＣＩを使用することによって、ページング情報を運ぶダウンリンクデータチャネルを示す。ページング情報は、ページングされる端末デバイスのデバイス識別子（例えば、ユーザ装置ＵＥのデバイス識別子ＩＤ）を含む。システム設定に基づいて、端末デバイスは、ＤＣＩをリッスンするために端末デバイスのページングオケージョンにおいて起動する。端末デバイスがリッスンによりＤＣＩを取得する場合に、端末デバイスは、ＤＣＩに基づいてダウンリンクデータチャネルを受信して、ページング情報を取得する。ページング情報が端末デバイスのデバイス識別子を含む場合に、それは、ネットワークデバイスが端末デバイスにページングし、その後に端末デバイスがネットワークにアクセスすることを示す。ページング情報が端末デバイスのデバイス識別子を含まない場合に、それは、ネットワークデバイスが端末デバイスにページングしておらず、その後に端末デバイスがスリープ状態に入ることを示す。
【０００３】
将来の５Ｇシステムでは、ページング情報は同期チャネルとともに送信される。ＬＴＥシステムと比較して、５Ｇシステムにおけるページングオケージョンは、ＬＴＥシステムにおけるそれらよりも少ない。これは、より多くの端末デバイスが各ページングオケージョンにおいてページングされることを意味する。
【０００４】
しかし、ページング情報を運ぶために使用されるダウンリンクデータチャネルは、リソースの量が限られている。すなわち、１つのダウンリンクデータチャネルの場合に、ページング情報の各片は、ページングされる端末デバイスのデバイス識別子の限られた量を含む。その上、複数の端末デバイスが、ＤＣＩをリッスンするために１つのページングオケージョンにおいて起動する。ページング情報に含まれるページングされる端末デバイスのデバイス識別子の量は限られているので、端末デバイスがリッスンによりＤＣＩを取得した後、一部の端末デバイスしか、ページング情報から、端末デバイスがページングされると決定することができず、一方、残りの端末デバイスは、ページング情報から、端末デバイスがページングされないと決定する。結果として、残りの端末デバイスは電力消費を増大させる。
【０００５】
従って、端末デバイスの電力消費を低減するための技術が提供される必要がある。
【発明の概要】
【０００６】
本発明の実施形態は、端末デバイスの電力消費の低減を有効に支援するように、ページング決定方法を提供する。
【０００７】
第１の態様によれば、ページング決定方法が提供される。複数の端末デバイスがＭ個のグループに分類され、Ｍは１よりも大きい整数であり、前記方法は、
ネットワークデバイスによって、第１ページングオケージョンにおいてページングされる第１端末デバイスが属する第１グループを決定することであり、該第１グループは前記Ｍ個のグループに属する、前記決定することと、
前記ネットワークデバイスによって、前記第１グループに基づいて制御情報を送信することであり、該制御情報はページング情報を示すために使用され、該ページング情報は前記第１端末デバイスのデバイス識別子を含む、前記送信することと
を含む。
【０００８】
従って、本発明のこの実施形態におけるページング決定方法によれば、複数の端末デバイスはＭ個のグループに分類され、ネットワークデバイスは、Ｍ個のグループの中で、第１ページングオケージョンにおいてページングされる第１端末デバイスが属する第１グループを決定し、該第１グループに基づいて、第１端末デバイスのデバイス識別子を含むページング情報を示すために使用される制御情報を送信する。このようにして、第１ページングオケージョンにおいて起動する端末デバイスは、端末デバイスが属するグループに基づいて制御情報をリッスン又は受信して、制御情報のリッスン結果及び制御情報に基づいて、端末デバイスがページングされる可能性があるかどうかを判定することができる。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【０００９】
更に、ページングされる端末デバイスの数が比較的多く、ページング情報を運ぶダウンリンクデータチャネルの容量が比較的小さいとき、ネットワークデバイスは、ページングされる端末デバイスの数と、ダウンリンクデータチャネルで運ばれ得る情報の量とに基づいて、限られた数のグループにおいて全て分配されている端末デバイスにページングすることを選択することができる。このようにして、限られた数のグループに属さない端末デバイスがリッスンにより制御情報を取得した後又は制御情報を受信した後、端末デバイスは、その端末デバイスがページングされないと決定し、スリープ状態を再開することができ、それによって、電力消費は有効に低減される。
【００１０】
第１の態様を参照して、第１の態様の第１の実施において、前記Ｍ個のグループは、前記複数の端末デバイスのデバイス識別子に基づく分類により取得され、
ネットワークデバイスによって、第１ページングオケージョンにおいてページングされる第１端末デバイスが属する第１グループを決定することは、
前記ネットワークデバイスによって、前記第１端末デバイスのデバイス識別子に基づいて前記第１グループを決定することを含む。
【００１１】
従って、ネットワークデバイスは、端末デバイスのデバイス識別子に基づいて端末デバイスをグループに分類することによって、計算複雑性を有効に低減することができ、ネットワークデバイス及び端末デバイスは、グループ分け情報が事前に設定される必要がないように、同じグループ分け標準に従い、それによって、シグナリングオーバーヘッドは低減される。
【００１２】
第１の態様を参照して、第１の態様の第２の実施において、前記ネットワークデバイスによって、前記第１グループに基づいて制御情報を送信することは、
前記ネットワークデバイスによって、前記第１グループに対応する第１グループ識別情報を決定することと、
前記ネットワークデバイスによって、前記第１グループ識別情報に基づいて前記制御情報を生成することと、
前記ネットワークデバイスによって、前記制御情報を送信することと
を含む。
【００１３】
第１の態様を参照して、第１の態様の第３の実施において、前記第１グループ識別情報は、第１ページング無線ネットワーク一時識別子（Ｐ−ＲＮＴＩ）であり、
前記ネットワークデバイスによって、前記第１グループ識別情報に基づいて前記制御情報を生成することは、
前記ネットワークデバイスによって、前記第１Ｐ−ＲＮＴＩを使用することによってスクランブリングにより前記制御情報を生成することを含む。
【００１４】
第１の態様を参照して、第１の態様の第４の実施において、前記ネットワークデバイスによって、前記第１グループに基づいて制御情報を送信することは、
前記ネットワークデバイスによって、前記第１グループに対応する第１リソースを決定することであり、該第１リソースは、第１時間周波数リソース、第１時間領域リソース、第１周波数領域リソース、又は第１符号領域リソースのうちのいずれか１つである、前記第１リソースを決定することと、
前記ネットワークデバイスによって、前記第１リソースで前記制御情報を送信することと
を含む。
【００１５】
第１の態様を参照して、第１の態様の第５の実施において、前記制御情報は第１フィールドを含み、該第１フィールドはＭビットを含み、該Ｍビットは前記Ｍ個のグループに対応し、前記Ｍビットにおける前記第１グループに対応する第１ビットの値は、前記第１グループ内の少なくとも１つの端末デバイスがページングされることを示すために使用される。
【００１６】
第１の態様を参照して、第１の態様の第６の実施において、前記制御情報は第１フィールドを含み、該第１フィールドはＮビットを含み、前記第１フィールドは、前記第１グループ内の少なくとも１つの端末デバイスがページングされることを示すために使用される。
【００１７】
第１の態様を参照して、第１の態様の第７の実施において、前記制御情報は、２つのタイプの前もってセットされた制御情報のうちの第１タイプの制御情報であり、前記２つのタイプの制御情報のうちの第２タイプの制御情報は、ページングされる端末デバイスに基づいて前記ネットワークデバイスによって送信される。
【００１８】
第２の態様によれば、ページング決定方法が提供される。複数の端末デバイスがＭ個のグループに分類され、Ｍは１よりも大きい整数であり、前記方法は、
第２端末デバイスによって、該第２端末デバイスが属する第２グループを決定することであり、該第２グループは前記Ｍ個のグループに属する、前記決定することと、
前記第２端末デバイスによって、前記第２グループに基づき第１ページングオケージョンにおいて、ネットワークデバイスによって送信される制御情報をリッスンすることであり、該制御情報はページング情報を示すために使用され、該ページング情報は少なくとも１つの端末デバイスのデバイス識別子を含み、前記少なくとも１つの端末デバイスは、前記第１ページングオケージョンにおいてページングされる端末デバイスであり、前記少なくとも１つの端末デバイスは、前記Ｍ個のグループのうちのいずれか１グループに属する、前記リッスンすることと、
前記第２端末デバイスによって、前記制御情報のリッスン結果に基づいて、前記第２端末デバイスがページングされるかどうかを判定することと
を含む。
【００１９】
従って、本発明のこの実施形態におけるページング決定方法によれば、複数の端末デバイスはＭ個のグループに分類され、第２端末デバイスは、第２端末デバイスが属するグループに基づいて制御情報をリッスン又は受信して、制御情報のリッスン結果及び制御情報に基づいて、第２端末デバイスがページングされる可能性があるかどうかを判定する。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【００２０】
第２の態様を参照して、第２の態様の第１の実施において、前記Ｍ個のグループは、前記複数の端末デバイスのデバイス識別子に基づく分類により取得され、
第２端末デバイスによって、該第２端末デバイスが属する第２グループを決定することは、
前記第２端末デバイスによって、該第２端末デバイスのデバイス識別子に基づいて前記第２グループを決定することを含む。
【００２１】
従って、端末デバイスのデバイス識別子に基づいて端末デバイスをグループに分類することによって計算複雑性が有効に低減され得、ネットワークデバイス及び端末デバイスは、グループ分け情報が事前に設定される必要がないように、同じグループ分け標準に従い、それによって、シグナリングオーバーヘッドは低減される。
【００２２】
第２の態様を参照して、第２の態様の第２の実施において、前記第２端末デバイスによって、前記第２グループに基づき第１ページングオケージョンにおいて、ネットワークデバイスによって送信される制御情報をリッスンすることは、
前記第２端末デバイスによって、前記第２グループに対応する第２グループ識別情報を決定することと、
前記第２端末デバイスによって、前記第２グループ識別情報に基づき前記第１ページングオケージョンにおいて、前記ネットワークデバイスによって送信される前記制御情報をリッスンすることと
を含み、
前記第２端末デバイスによって、前記制御情報のリッスン結果に基づいて、前記第２端末デバイスがページングされるかどうかを判定することは、
前記第２端末デバイスがリッスンにより前記制御情報を取得する場合に、前記第２端末デバイスによって、前記制御情報に基づいて前記ページング情報を受信し、該ページング情報に基づいて、前記第２端末デバイスがページングされるかどうかを判定すること、又は
前記第２端末デバイスがリッスンにより前記制御情報を取得することができない場合に、前記第２端末デバイスによって、該第２端末デバイスがページングされないと決定すること
を含む。
【００２３】
第２の態様を参照して、第２の態様の第３の実施において、前記第２グループ識別情報は、第２ページング無線ネットワーク一時識別子（Ｐ−ＲＮＴＩ）である。
【００２４】
第２の態様を参照して、第２の態様の第４の実施において、前記第２端末デバイスによって、前記第２グループに基づき第１ページングオケージョンにおいて、ネットワークデバイスによって送信される制御情報をリッスンすることは、
前記第２端末デバイスによって、前記第２グループに対応する第２リソースを決定することであり、該第２リソースは、第２時間周波数リソース、第２時間領域リソース、第２周波数領域リソース、又は第２符号領域リソースのうちのいずれか１つである、前記第２リソースを決定することと、
前記第２端末デバイスによって、前記第２リソースで前記第１ページングオケージョンにおいて、前記ネットワークデバイスによって送信される前記制御情報をリッスンすることと
を含み、
前記第２端末デバイスによって、前記制御情報のリッスン結果に基づいて、前記第２端末デバイスがページングされるかどうかを判定することは、
前記第２端末デバイスがリッスンにより前記制御情報を取得する場合に、前記第２端末デバイスによって、前記制御情報に基づいて前記ページング情報を受信し、該ページング情報に基づいて、前記第２端末デバイスがページングされるかどうかを判定すること、又は
前記第２端末デバイスがリッスンにより前記制御情報を取得することができない場合に、前記第２端末デバイスによって、該第２端末デバイスがページングされないと決定すること
を含む。
【００２５】
第２の態様を参照して、第２の態様の第５の実施において、前記制御情報は、２つのタイプの前もってセットされた制御情報のうちの第１タイプの制御情報であり、前記２つのタイプの制御情報のうちの第２タイプの制御情報は、ページングされる端末デバイスに基づいて前記ネットワークデバイスによって送信される。
【００２６】
第３の態様によれば、ページング決定方法が提供される。複数の端末デバイスがＭ個のグループに分類され、Ｍは１よりも大きい整数であり、前記方法は、
第２端末デバイスによって、該第２端末デバイスが属する第２グループを決定することであり、該第２グループは前記Ｍ個のグループに属する、前記決定することと、
前記第２端末デバイスによって、第１ページングオケージョンにおいて、ネットワークデバイスによって送信される制御情報を受信することであり、該制御情報はページング情報を示すために使用され、該ページング情報は少なくとも１つの端末デバイスのデバイス識別子を含み、前記少なくとも１つの端末デバイスは、前記第１ページングオケージョンにおいてページングされる端末デバイスであり、前記少なくとも１つの端末デバイスは、前記Ｍ個のグループのうちのいずれか１グループに属し、前記制御情報は第１フィールドを含み、該第１フィールドはＭビットを含み、該Ｍビットは前記Ｍ個のグループに対応し、各ビットの値は、対応するグループ内の少なくとも１つの端末デバイスがページングされることを示すために使用されるか、あるいは、各ビットの値は、対応するグループ内の端末デバイスがページングされないことを示すために使用される、前記受信することと、
前記第２端末デバイスによって、前記第１フィールド内の第２ビットに基づいて、前記第２端末デバイスがページングされるかどうかを判定することであり、前記第２ビットは前記Ｍビットに属する、前記判定することと
を含む。
【００２７】
従って、本発明のこの実施形態における方法によれば、Ｍビットを含む第１フィールドが制御情報に加えられ、ＭビットはＭ個のグループに対応し、各ビットは、対応するグループ内の少なくとも１つの端末デバイスがページングされるかどうかを示すために使用される。このようにして、第１ページングオケージョンにおいて起動する第２端末デバイスは、制御情報を受信して、該制御情報内の第１フィールドに基づいて、前もって、第２端末デバイスがページングされる可能性があるかどうかを判定することができる。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【００２８】
第３の態様を参照して、第３の態様の第１の実施において、前記Ｍ個のグループは、前記複数の端末デバイスのデバイス識別子に基づく分類により取得され、
第２端末デバイスによって、該第２端末デバイスが属する第２グループを決定することは、
前記第２端末デバイスによって、該第２端末デバイスのデバイス識別子に基づいて前記第２グループを決定することを含む。
【００２９】
第４の態様によれば、ページング決定方法が提供される。複数の端末デバイスがＭ個のグループに分類され、Ｍは１よりも大きい整数であり、前記方法は、
第２端末デバイスによって、該第２端末デバイスが属する第２グループを決定することであり、該第２グループは前記Ｍ個のグループに属する、前記決定することと、
前記第２端末デバイスによって、第１ページングオケージョンにおいて、ネットワークデバイスによって送信される制御情報を受信することであり、該制御情報はページング情報を示すために使用され、該ページング情報は少なくとも１つの端末デバイスのデバイス識別子を含み、前記少なくとも１つの端末デバイスは、前記第１ページングオケージョンにおいてページングされる端末デバイスであり、前記少なくとも１つの端末デバイスは、前記Ｍ個のグループのうちのいずれか１グループに属し、前記制御情報は第１フィールドを含み、該第１フィールドはＮビットを含み、前記第１フィールドは、前記いずれか１グループ内の少なくとも１つの端末デバイスがページングされることを示すために使用される、前記受信することと、
前記第２グループ内の少なくとも１つの端末デバイスがページングされることを前記第１フィールドが示す場合に、前記第２端末デバイスによって、前記制御情報に基づいて前記ページング情報を受信し、該ページング情報に基づいて、前記第２端末デバイスがページングされるかどうかを判定すること、又は前記第２グループ内の少なくとも１つの端末デバイスがページングされることを前記第１フィールドが示さない場合に、前記第２端末デバイスによって、該第２端末デバイスがページングされないと決定することと
を含む。
【００３０】
従って、本発明のこの実施形態における方法によれば、Ｎビットを含む第１フィールドが制御情報に加えられ、Ｎビットを含むビット列は、あるグループ内の少なくとも１つの端末デバイスがページングされることを示すために使用される。このようにして、第１ページングオケージョンにおいて起動する第２端末デバイスは、制御情報を受信して、該制御情報内の第１フィールドに基づいて、前もって、第２端末デバイスがページングされる可能性があるかどうかを判定することができる。特に、第２端末デバイスが属するグループが第１フィールドに対応するグループとは異なるとき、第２端末デバイスは、第１フィールドに基づいて、前もって、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【００３１】
第４の態様を参照して、第４の態様の第１の実施において、前記Ｍ個のグループは、前記複数の端末デバイスのデバイス識別子に基づく分類により取得され、
第２端末デバイスによって、該第２端末デバイスが属する第２グループを決定することは、
前記第２端末デバイスによって、該第２端末デバイスのデバイス識別子に基づいて前記第２グループを決定することを含む。
【００３２】
第５の態様によれば、ページング決定装置が提供される。装置は、第１の態様及び第１の態様のいずれかの可能な実施におけるネットワークデバイスの動作を実行するよう構成され得る。具体的に、装置は、第１の態様又は第１の態様のいずれかの可能な実施におけるネットワークデバイスの動作を実行するよう構成されたモジュール又はユニットを含んでよい。
【００３３】
第６の態様によれば、ページング決定装置が提供される。装置は、第２の態様及び第２の態様のいずれかの可能な実施における端末デバイスの動作を実行するよう構成され得る。具体的に、装置は、第２の態様又は第２の態様のいずれかの可能な実施における端末デバイスの動作を実行するよう構成されたモジュール又はユニットを含んでよい。
【００３４】
第７の態様によれば、ページング決定装置が提供される。装置は、第３の態様及び第３の態様のいずれかの可能な実施における端末デバイスの動作を実行するよう構成され得る。具体的に、装置は、第３の態様又は第３の態様のいずれかの可能な実施における端末デバイスの動作を実行するよう構成されたモジュール又はユニットを含んでよい。
【００３５】
第８の態様によれば、ページング決定装置が提供される。装置は、第４の態様及び第４の態様のいずれかの可能な実施における端末デバイスの動作を実行するよう構成され得る。具体的に、装置は、第４の態様又は第４の態様のいずれかの可能な実施における端末デバイスの動作を実行するよう構成されたモジュール又はユニットを含んでよい。
【００３６】
第９の態様によれば、ネットワークデバイスが提供される。ネットワークデバイスは、プロセッサ、トランシーバ、及びメモリを含む。プロセッサ、トランシーバ、及びメモリは、内部接続パスを使用することによって互いと通信する。メモリは、命令を記憶するよう構成される。プロセッサは、メモリに記憶されている命令を実行するよう構成される。プロセッサがメモリに記憶されている命令を実行するとき、ネットワークデバイスは、第１の態様又は第１の態様のいずれかの可能な実施における方法を実行するか、あるいは、ネットワークデバイスは、第５の態様で提供される装置を実装する。
【００３７】
第１０の態様によれば、端末デバイスが提供される。端末デバイスは、プロセッサ、トランシーバ、及びメモリを含む。プロセッサ、トランシーバ、及びメモリは、内部接続パスを使用することによって互いと通信する。メモリは、命令を記憶するよう構成される。プロセッサは、メモリに記憶されている命令を実行するよう構成される。プロセッサがメモリに記憶されている命令を実行するとき、端末デバイスは、第２の態様又は第２の態様のいずれかの可能な実施における方法を実行するか、あるいは、端末デバイスは、第６の態様で提供される装置を実装する。
【００３８】
第１１の態様によれば、端末デバイスが提供される。端末デバイスは、プロセッサ、トランシーバ、及びメモリを含む。プロセッサ、トランシーバ、及びメモリは、内部接続パスを使用することによって互いと通信する。メモリは、命令を記憶するよう構成される。プロセッサは、メモリに記憶されている命令を実行するよう構成される。プロセッサがメモリに記憶されている命令を実行するとき、端末デバイスは、第３の態様又は第３の態様のいずれかの可能な実施における方法を実行するか、あるいは、端末デバイスは、第７の態様で提供される装置を実装する。
【００３９】
第１２の態様によれば、端末デバイスが提供される。端末デバイスは、プロセッサ、トランシーバ、及びメモリを含む。プロセッサ、トランシーバ、及びメモリは、内部接続パスを使用することによって互いと通信する。メモリは、命令を記憶するよう構成される。プロセッサは、メモリに記憶されている命令を実行するよう構成される。プロセッサがメモリに記憶されている命令を実行するとき、端末デバイスは、第４の態様又は第４の態様のいずれかの可能な実施における方法を実行するか、あるいは、端末デバイスは、第８の態様で提供される装置を実装する。
【００４０】
第１３の態様によれば、コンピュータプログラムを記憶するよう構成されたコンピュータ可読記憶媒体が提供される。コンピュータプログラムは、第１の態様及び第１の態様のいずれかの可能な実施における方法を実行するために使用される命令を含む。
【００４１】
第１４の態様によれば、コンピュータプログラムを記憶するよう構成されたコンピュータ可読記憶媒体が提供される。コンピュータプログラムは、第２の態様及び第２の態様のいずれかの可能な実施における方法を実行するために使用される命令を含む。
【００４２】
第１５の態様によれば、コンピュータプログラムを記憶するよう構成されたコンピュータ可読記憶媒体が提供される。コンピュータプログラムは、第３の態様及び第３の態様のいずれかの可能な実施における方法を実行するために使用される命令を含む。
【００４３】
第１６の態様によれば、コンピュータプログラムを記憶するよう構成されたコンピュータ可読記憶媒体が提供される。コンピュータプログラムは、第４の態様及び第４の態様のいずれかの可能な実施における方法を実行するために使用される命令を含む。
【００４４】
上記の実施のいくつかで、前記ネットワークデバイスによって、前記第１グループに基づいて制御情報を送信することより前に、前記方法は、
前記ネットワークデバイスによって、第１指示情報を送信することを更に含み、
前記第１指示情報は、前記Ｍ個のグループとＮ片のグループ識別情報との間の対応を示すために使用され、前記第１グループ識別情報は、前記Ｎ片のグループ識別情報における前記第１グループに対応するグループ識別情報であり、ＮはＭ以上の整数である。
【００４５】
上記の実施のいくつかで、前記ネットワークデバイスによって、前記第１グループに基づいて制御情報を送信することより前に、前記方法は、
前記ネットワークデバイスによって、第２指示情報を送信することを更に含み、
前記第２指示情報は、前記Ｍ個のグループとＰ個のリソースとの間の対応を示すために使用され、前記第１リソースは、前記Ｐ個のリソースにおける前記第１グループに対応するリソースであり、ＰはＭ以上の整数である。
【図面の簡単な説明】
【００４６】
【図１】本発明の実施形態に適用されるデータ伝送のための通信システムの概略図である。
【図２】本発明の実施形態に従うページング決定方法の略フローチャートである。
【図３】本発明の他の実施形態に従うページング決定方法の略フローチャートである。
【図４】本発明の他の実施形態に従うページング決定方法の略フローチャートである。
【図５】本発明の他の実施形態に従うページング決定方法の略フローチャートである。
【図６】本発明の実施形態に従う制御情報内の第１フィールドの概略図である。
【図７】本発明の他の実施形態に従うページング決定方法の略フローチャートである。
【図８】本発明の実施形態に従うページング決定装置の略ブロック図である。
【図９】本発明の実施形態に従うページング決定装置の略ブロック図である。
【図１０】本発明の実施形態に従うページング決定装置の略ブロック図である。
【図１１】本発明の実施形態に従うページング決定装置の略ブロック図である。
【発明を実施するための形態】
【００４７】
以下は、本発明の実施形態における添付の図面を参照して、本発明の実施形態における技術的解決法について明りょうに且つ完全に記載する。
【００４８】
本明細書中で使用される「コンポーネント」、「モジュール」、及び「システム」のような語は、コンピュータ関連エンティティ、ハードウェア、ファームウェア、ハードウェアとソフトウェアとの組み合わせ、ソフトウェア、又はソフトウェアが実行されること、を示すために使用される。例えば、コンポーネントは、プロセッサで実行されるプロセス、プロセッサ、オブジェクト、実行ファイル、実行のスレッド、プログラム、及び／又はコンピュータであってよいが限られない。図示されるように、コンピューティングデバイス及びコンピューティングデバイスで実行されるアプリケーションは、コンポーネントであってよい。１つ以上のコンポーネントがプロセス及び／又は実行のスレッド内に存在してよく、コンポーネントは１つのコンピュータに位置しても、且つ／あるいは、２つ以上のコンピュータの間で分配されてもよい。その上、これらのコンポーネントは、様々なデータ構造を記憶する様々なコンピュータ可読媒体から実行されてよい。例えば、コンポーネントは、ローカル及び／又はリモートプロセスを使用することによって、且つ、例えば、１つ以上のデータパケット（例えば、ローカルシステム若しくは離散システムにおいて、及び／又は信号を使用することによって他のシステムと相互作用するインターネットのようなネットワークにわたって、他のコンポーネントと相互作用する２つのコンポーネントからのデータ）を有する信号に基づいて、通信してよい。
【００４９】
本発明の実施形態は、様々な通信システム、例えば、グローバル・システム・フォー・モバイル・コミュニケーションズ（Global  System  for  Mobile  Communications，ＧＳＭ）、広帯域符号分割多重アクセス（Wideband  Code  Division  Multiple  Access，ＷＣＤＭＡ）システム、及びＬＴＥシステムに適用されてよく、サポートされる通信は、主に、音声及びデータ通信であることが理解されるべきである。通常、従来の基地局は、限られた数量の接続をサポートし、実施するのが容易である。
【００５０】
次世代の移動体通信システムは、将来のモバイルデータトラフィックの増加、大量のインターネット・オブ・シングス、並びに様々な新しいサービス及び適用シナリオを可能にする。統合的な接続フレームワークの機能を果たすことに加えて、新世代セルラーネットワークの基本５Ｇニュー・ラジオ（5th  Generation  New  Radio，５Ｇ  ＮＲ）は、ネットワークのデータ速度、容量、遅延、信頼性、効率、及びカバレッジ能力を新しいレベルに高め、利用可能なスペクトルリソースの各ビットを十分に使用すると期待される。更に、直交周波数分割多重化（Orthogonal  Frequency  Division  Multiplexing，ＯＦＤＭ）ニュー・ラジオ設計に基づく５Ｇは世界標準になり、５Ｇデバイス及び様々な配置をサポートし且つ様々なスペクトルをカバーする（低帯域及び高帯域をカバーすることを含む。）だけでなく、様々なサービス及び端末をサポートする必要がある。
【００５１】
実施形態は、本発明の実施形態における端末デバイスを参照して記載される。端末デバイスは、ユーザ装置（User  Equipment，ＵＥ）、アクセス端末、加入者ユニット、加入者局、移動局、モバイルコンソール、遠隔局、遠隔端末、モバイルデバイス、ユーザ端末、端末、無線通信デバイス、ユーザエージェント、又はユーザ機器とも呼ばれ得る。端末デバイスは、無線ローカル・エリア・ネットワーク（Wireless  Local  Area  Network，ＷＬＡＮ）内の局（STATION，ＳＴＡ）であってよく、あるいは、携帯電話機、コードレス電話機、セッション開始プロトコル（Session  Initiation  Protocol，ＳＩＰ）電話機、無線ローカルループ（Wireless  Local  Loop，ＷＬＬ）局、パーソナル・デジタル・アシスタント（Personal  Digital  Assistant，ＰＤＡ）デバイス、無線通信機能を備えた手持ち式デバイス、無線モデムに接続されたコンピューティングデバイス若しくは他の処理デバイス、車載デバイス、装着型デバイス、将来の５Ｇネットワーク内の端末デバイス、将来の進化型ＰＬＭＮネットワーク内の端末デバイス、などであってよい。
【００５２】
更に、実施形態は、本発明の実施形態におけるネットワークデバイスを参照して記載される。ネットワークデバイスは、モバイルデバイスと通信するために使用されるデバイス、例えば、ネットワークデバイスであってよい。ネットワークデバイスは、ＷＬＡＮにおけるアクセス・ポイント（ACCESS  POINT，ＡＰ）又はＧＳＭ若しくは符号分割多重アクセス（Code  Division  Multiple  Access，ＣＤＭＡ）におけるベーストランシーバ局であってよく、あるいは、ＷＣＤＭＡにおけるノードＢ（NodeB，ＮＢ）であってよく、あるいは、ＬＴＥにおける進化型ノードＢ（Evolved  NodeB，ｅＮＢ若しくはｅＮｏｄｅＢ）、中継ノード又はアクセス・ポイント、車載デバイス、装着型デバイス、将来の５Ｇネットワーク内のネットワークデバイス、将来の進化型ＰＬＭＮネットワーク内のネットワークデバイス、などであってよい。
【００５３】
本発明の実施形態で提供される方法及び装置は、端末デバイス又はネットワークデバイスに適用されてよい。端末デバイス又はネットワークデバイスは、ハードウェア層、ハードウェア層の上で実行されるオペレーティングシステム層、及びオペレーティングシステム層の上で実行されるアプリケーション層を含む。ハードウェア層は、中央演算処理装置（Central  Processing  Unit，ＣＰＵ）、メモリ管理ユニット（Memory  Management  Unit，ＭＭＵ）、及びメモリ（メインメモリとも呼ばれる。）のようなハードウェアを含む。オペレーティングシステムは、プロセス（Process）を使用することによってサービス処理を実装するコンピュータオペレーティングシステムのいずれか１つ以上、例えば、Ｌｉｎｕｘオペレーティングシステム、Ｕｎｉｘオペレーティングシステム、Ａｎｄｒｏｉｄオペレーティングシステム、ｉＯＳオペレーティングシステム、又はＷｉｎｄｏｗｓオペレーティングシステムであってよい。アプリケーション層は、ブラウザ、アドレス帳、ワードプロセッシングソフトウェア、及びインスタンスメッセージングソフトウェアのようなアプリケーションを含む。更に、本発明の実施形態では、制御情報伝送方法を実行するためのエンティティの具体的な構造は、エンティティが、本発明の実施形態における制御情報伝送方法に従って通信を実行するために、本発明の実施形態における制御情報伝送方法のコードを含むプログラムを実行することができるという条件で、本発明の実施形態において特定に制限されない。例えば、本発明の実施形態における無線通信方法を実行するためのエンティティは、端末デバイス若しくはネットワークデバイス、又は端末デバイス若しくはネットワークデバイス内にあり、プログラムを呼び出してそのプログラムを実行することができる機能モジュールであってよい。
【００５４】
更に、本発明の実施形態の態様又は特徴は、標準のプログラミング及び／又はエンジニアリング技術を使用する方法、装置、又は製品として実装されてよい。本発明の実施形態で使用される語「製品」は、如何なるコンピュータ読み出し可能なコンポーネント、担体、又は媒体からもアクセスされ得るコンピュータプログラムをカバーする。例えば、コンピュータ読み出し可能な媒体は、磁気記憶コンポーネント（例えば、ハードディスク、フロッピーディスク、若しくは磁気テープ）、光ディスク（例えば、コンパクト・ディスク（Compact  Disc，ＣＤ）及びデジタル・バーサタイル・ディスク（Digital  Versatile  Disc，ＤＶＤ））、スマートカード、及びフラッシュメモリデバイス（例えば、消去可能なプログラム可能リード・オンリー・メモリ（Erasable  Programmable  Read-Only  Memory，ＥＰＲＯＭ）、カード、スティック、若しくはキードライブ）を含み得るが限られない。その上、本明細書中で記載される様々な記憶媒体は、情報を記憶するために使用される１つ以上のデバイス及び／又は他のマシン読み出し可能な媒体を示し得る。語「マシン読み出し可能な媒体」は、命令及び／データを記憶、収容、及び／又は搬送することができる無線チャネル及び様々な他の媒体を含み得るが限られない。
【００５５】
図１は、本発明の実施形態に適用されるデータ伝送のための通信システムの概略図である。図１に示されるように、通信システム１００はネットワークデバイス１０２を含む。ネットワークデバイス１０２は、複数のアンテナ、例えば、アンテナ１０４、１０６、１０８、１１０、１１２、及び１１４を含んでよい。その上、ネットワークデバイス１０２は、送信器チェーン及び受信器チェーンを更に含んでよい。当業者は、送信器チェーン及び受信器チェーンが、信号送信及び受信に関係がある複数のコンポーネント（例えば、プロセッサ、変調器、マルチプレクサ、復調器、デマルチプレクサ、又はアンテナ）を夫々含んでよいと理解し得る。
【００５６】
ネットワークデバイス１０２は、複数の端末デバイス（例えば、端末デバイス１１６及び端末デバイス１２２）と通信してよい。しかし、ネットワークデバイス１０２は、端末デバイス１１６又は１２２に類似した任意数の端末デバイスと通信してよいことが理解され得る。端末デバイス１１６及び１２２は夫々、例えば、携帯電話機、スマートフォン、携帯型コンピュータ、手持ち式通信デバイス、手持ち式コンピューティングデバイス、衛星無線装置、グローバル・ポジショニング・デバイス、ＰＤＡ、及び／又は無線通信システム１００での通信に使用されるあらゆる他の適切なデバイスであってよい。
【００５７】
図１に示されるように、端末デバイス１１６は、アンテナ１１２及び１１４と通信する。アンテナ１１２及び１１４は、順方向リンク１１８を使用することによって端末デバイス１１６へ情報を送信し、且つ、逆方向リンク１２０を使用することによって端末デバイス１１６から情報を受信する。その上、端末デバイス１２２は、アンテナ１０４及び１０６と通信する。アンテナ１０４及び１０６は、順方向リンク１２４を使用することによって端末デバイス１２２へ情報を送信し、且つ、逆方向リンク１２６を使用することによって端末デバイス１２２から情報を受信する。
【００５８】
例えば、周波数分割複信（Frequency  Division  Duplex，ＦＤＤ）システムでは、順方向リンク１１８は、逆方向リンク１２０によって使用されるものとは異なる帯域を使用してよく、順方向リンク１２４は、逆方向リンク１２６によって使用されるものとは異なる帯域を使用してよい。
【００５９】
他の例として、時分割複信（Time  Division  Duplex，ＴＤＤ）システム及び全二重複信（Full  Duplex）システムでは、順方向リンク１１８及び逆方向リンク１２０は同じ帯域を使用してよく、順方向リンク１２４及び逆方向リンク１２６は同じ帯域を使用してよい。
【００６０】
通信のために設計された夫々のアンテナ（若しくは複数のアンテナを含むアンテナ群）及び／又は領域は、ネットワークデバイス１０２のセクタと呼ばれる。例えば、アンテナ群は、ネットワークデバイス１０２のカバレッジエリアのセクタ内の端末デバイスと通信するよう設計されてよい。ネットワークデバイス１０２が、順方向リンク１１８及び１２４を使用することによって夫々端末デバイス１１６及び１２２と通信するとき、ネットワークデバイス１０２の送信アンテナは、ビームフォーミングにより順方向リンク１１８及び１２４の信号対雑音比を改善し得る。その上、ネットワークデバイスが単一のアンテナを使用することによってネットワークデバイスの全端末デバイスへ信号を送信する方法と比べて、ネットワークデバイス１０２がビームフォーミングにより、関連するカバレッジエリア内でランダムに散らばっている端末デバイス１１６及び１２２へ信号を送信する方法は、隣接セル内のモバイルデバイスへの干渉が小さくなる。
【００６１】
所与の時間内で、ネットワークデバイス１０２、端末デバイス１１６、又は端末デバイス１２２は、無線通信送信装置及び／又は無線通信受信装置であってよい。データを送信するとき、無線通信送信装置は、送信のためにデータを符号化してよい。
【００６２】
具体的に、無線通信送信装置は、チャネルを使用することによって無線通信受信装置へ送信される必要がある特定の量のデータビットを取得（例えば、生成、他の通信装置から受信、又はメモリに記憶）してよい。データビットは、データのトランスポートブロック（又は複数のトランスポートブロック）に含まれてよく、トランスポートブロックは、複数の符号ブロックを生成するようにセグメント化されてよい。
【００６３】
その上、通信システム１００は、公衆陸上移動体ネットワーク（Public  Land  Mobile  Network，ＰＬＭＮ）、Ｄ２ネットワーク、Ｍ２Ｍネットワーク、又は他のネットワークであってよい。図１は、単に、簡略化された概略図の例である。ネットワークは、図１に示されていない他のネットワークデバイスを更に含んでもよい。
【００６４】
既存のＬＴＥネットワークでは、ページング情報はダウンリンクデータチャネル上で運ばれる。ページングオケージョンにおいて、ページングオケージョンにおいてページングされる必要がある端末デバイスを決定した後に、ネットワークデバイスは、ダウンリンク制御情報（Downlink  Control  Information，ＤＣＩ）を使用することによって、ページング情報を運ぶダウンリンクデータチャネルを示す。ページング情報は、ページングされる端末デバイスのデバイス識別子（例えば、ユーザ装置識別子（User  Equipment  Identifier，ＵＥ  ＩＤ））を含む。システム設定に基づいて、端末デバイスは、ＤＣＩをリッスンするために端末デバイスのページングオケージョン（すなわち、ページングオケージョン）で起動する。端末デバイスがリッスンによりＤＣＩを取得する場合に、端末デバイスは、ＤＣＩに基づいてダウンリンクデータチャネルを受信して、ページング情報を取得する。ページング情報が端末デバイスのデバイス識別子を含む場合に、それは、ネットワークデバイスが端末デバイスにページングし、その後に端末デバイスがネットワークにアクセスすることを示す。ページング情報が端末デバイスのデバイス識別子を含まない場合に、それは、ネットワークデバイスが端末デバイスにページングしておらず、その後に端末デバイスがスリープ状態に入ることを示す。
【００６５】
将来の５Ｇシステムでは、ページング情報は同期チャネルとともに送信される。従って、５Ｇシステムにおけるページングオケージョンの数は、ＬＴＥシステムにおけるページングオケージョンの数よりもずっと少ない。ページングオケージョンの数が減るので、より多くの端末デバイスが１つのページングオケージョンにおいてページングされる必要がある。例えば、ＬＴＥシステムでは、３２のサブフレームが４つのページングオケージョンを含み、約１６の端末デバイスが各ページングオケージョンにおいてページングされ、一方、５Ｇシステムでは、３２のサブフレームがただ１つのページングオケージョンしか含まないことがあり、１つのページングオケージョンにおいてページングされる必要がある端末デバイスの数は、１５よりも大きいか又はそれ以上である。
【００６６】
しかし、ダウンリンクデータチャネル上で運ばれるページング情報は、端末デバイスのデバイス識別子の限られた量を運ぶ。システム設定に基づいて、複数の端末デバイスが、ページング情報を運ぶダウンリンクデータチャネルを示す、ネットワークデバイスによって送信されるＤＣＩをリッスンするために、１つのページングオケージョンにおいて起動する。リッスンによりＤＣＩを取得した後、複数の端末デバイスは、複数の端末デバイスがページングされるかどうかに関わらずデータチャネルを復調及び復号して、複数の端末デバイスがページングされるかどうかを判定するためにページング情報を受信する。ページング情報に含まれるページングされる端末デバイスのデバイス識別子の量は限られているので、一部の端末デバイスしか、ページング情報から、端末デバイスがページングされると決定することができず、一方、残りの端末デバイスは、ページング情報から、端末デバイスがページングされないと決定する。
【００６７】
ＬＴＥシステムではページングオケージョンがより多く、ページングされる必要がある端末デバイスが複数のページングオケージョンにおいて分配及びページングされ、且つ、ＤＣＩをリッスンするために対応するページングオケージョンにおいて起動する端末デバイスが、その端末デバイスがページングされると決定する可能性がより高く、それにより端末デバイスの電力消費が低減されるということで、ページングされない残りの端末デバイスに関して、５Ｇシステムにおける現在のページングオケージョンにおいて起動する端末デバイスは、ＬＴＥシステムにおける端末デバイスよりも電力を浪費する。
【００６８】
従って、本発明の実施形態は、端末デバイスの電力消費の低減を有効に支援するように、ページング決定方法を提供する。
【００６９】
本発明の実施形態は、将来の５Ｇシステムに適用され得るだけでなく、既存のＬＴＥシステムにも適用され得、本発明の実施形態は、それらに限られない。
【００７０】
本発明の実施形態における技術的解決法では、複数の端末デバイスがＭ個のグループに分類され、Ｍが１よりも大きい整数であり、複数のページングサイクルが時間領域において設定され、少なくとも１つのページングオケージョンが各ページングサイクルにおいて設定され、前記少なくとも１つのページングオケージョンのうちの第１ページングオケージョンが前記複数の端末デバイスにページングするために使用される。
【００７１】
具体的に、第１ページングオケージョンは、複数のページングオケージョンのうちのいずれか１つであり、第１ページングオケージョンにおいて、複数の端末は全て、ＤＣＩをリッスンするためにスリープ状態から起動し、複数の端末デバイスがページングされるかどうかを判定する。すなわち、第１ページングオケージョンは、複数の端末デバイスにページングするために使用される。
【００７２】
各ページングオケージョンは、先行技術ではデバイス識別子（例えば、ＵＥ  ＩＤ）に関係がある。すなわち、端末デバイスがページングに関する制御情報をリッスンするために起動する必要があるページングオケージョンは、その端末デバイスのデバイス識別子に関係がある。例えば、異なる端末デバイスがページングに関する制御情報をリッスンするために起動する必要があるページングオケージョンは、関連するアルゴリズムを使用することによって計算され得る。
【００７３】
記載の簡単のために、本発明の実施形態では、本発明の実施形態は、複数のページングサイクルの中の第１ページングサイクル及び第１ページングサイクル内の第１ページングオケージョンを例として使用することによって、詳細に記載される。
【００７４】
本発明の実施形態では、複数の端末デバイスは第１ページングオケージョンに対応することが留意されるべきである。すなわち、複数の端末デバイスは全て、複数の端末デバイスがページングされるかどうかを判定するために制御情報をリッスンするよう第１ページングオケージョンにおいて起動する必要がある。
【００７５】
本発明の実施形態では、Ｍ個のグループは、端末デバイスの固有属性又はネットワーク事前設定に基づいて通信システム内のデバイス（例えば、ネットワークデバイス又は端末デバイス）による分類を通じて取得されてよい。
【００７６】
例えば、少なくとも１つの端末デバイスは、端末デバイスのデバイス識別子（例えば、ＵＥ  ＩＤ）に基づいてＭ個のグループに分類される。より具体的には、モジュロ演算が端末デバイスのＵＥ  ＩＤに対して実行され、ここで、（ＵＥ  ＩＤ）ｍｏｄＭ＝ｍ、Ｍはグループの数であり、ｍはＭを法とする（ＵＥ  ＩＤ）の残余であり、あるグループに対応する数としても理解され得る。例えば、ｍは１に等しく、第１グループを表し、ｍは２に等しく、第２グループを表す。
【００７７】
他の例として、少なくとも１つの端末デバイスは、サポートされるサービスタイプに基づいてＭ個のグループに分類されてもよい。より具体的には、例えば、サービス＃１をサポートする端末デバイスはグループ＃１に分類され、サービス＃２をサポートする端末デバイスはグループ＃２に分類される。
【００７８】
他の例として、ネットワーク側が端末デバイスグループリストを事前設定し、且つ、端末デバイスに対して端末デバイスグループリストを事前設定してもよい。
【００７９】
図２は、本発明の実施形態に従うページング決定方法の略フローチャートである。方法２００は、次のステップを含む。Ｓ２１０．ネットワークデバイスは、第１ページングオケージョンにおいてページングされる第１端末デバイスが属する第１グループを決定し、このとき、第１グループはＭ個のグループに属する。
【００８０】
すなわち、端末デバイス＃Ａ（第１端末デバイスの例）がページングされる必要があると決定した後、ネットワークデバイスは、Ｍ個のグループの中で、端末デバイス＃Ａが属するグループ、すなわちグループ＃Ａを決定する。
【００８１】
具体的に、上述されたように、Ｍ個のグループは、端末デバイスの固有属性に基づいて通信システム内のデバイス（例えば。ネットワークデバイス又は端末デバイス）による分類を通じて取得されてよい。より具体的には、Ｍ個のグループは、複数の端末デバイスのデバイス識別子に基づいて分類を通じて取得される。
【００８２】
このようにして、計算複雑性は、端末デバイスのデバイス識別子に基づいて端末デバイスをグループに分類することによって有効に低減され得、ネットワークデバイス及び端末デバイスは、グループ分け情報が事前に設定される必要がないように、同じグループ分け標準に従い、それによって、シグナリングオーバーヘッドは低減される。
【００８３】
任意に、ネットワークデバイスによって、第１ページングオケージョンにおいてページングされる第１端末デバイスが属する第１グループを決定することは、
ネットワークデバイスによって、第１端末デバイスのデバイス識別子に基づいて第１グループを決定することを含む。
【００８４】
すなわち、ネットワークデバイスは、端末デバイス＃Ａのデバイス識別子（例えば、ＵＥ  ＩＤ）に基づいて、端末デバイス＃Ａが属するグループ＃Ａを決定し得る。
【００８５】
Ｓ２２０．ネットワークデバイスは、第１グループに基づいて制御情報を送信し、このとき、制御情報は、ページング情報を示すために使用され、ページング情報は、第１端末デバイスのデバイス識別子を含む。
【００８６】
制御情報はＤＣＩであってよく、制御情報は、ページング情報を示すために使用される。具体的に、制御情報は、グループ＃Ａ内の少なくとも１つの端末デバイスがページングされるかどうかを示すことができ、制御情報は更に、ページング情報を運ぶダウンリンクデータチャネル（すなわち、ページング情報のための時間周波数リソース）を示すために使用される。
【００８７】
本発明のこの実施形態で、ページングされる必要がある複数の端末デバイス（端末デバイス＃Ａを含む。）がグループ＃Ａに属するとネットワークデバイスが決定する場合に、ページング情報は端末デバイス＃Ａのデバイス識別子を含むだけでなく、端末デバイス＃Ａ以外にページングされる必要がある複数の端末デバイスの中の端末デバイスのデバイス識別子も含むことが留意されるべきである。本発明のこの実施形態はそれに限られない。
【００８８】
Ｓ２３０．複数の端末デバイスの中の第２端末デバイスは、第１ページングオケージョンにおいて制御情報をリッスンし、リッスン結果に基づいて、第２端末デバイスがページングされるかどうかを判定し、あるいは、第２端末デバイスは制御情報を受信し、制御情報に基づいて、第２端末デバイスがページングされるかどうかを判定する。
【００８９】
第２端末デバイスは、制御情報をリッスンするよう第１ページングオケージョンにおいて起動する必要がある複数の端末デバイスのうちのいずれか１つである。第２端末デバイス＃Ｂが具体的に、第２端末デバイスがページングされるかどうかを判定する処理ステップは、後に詳細に記載され、ここでは記載されない。
【００９０】
従って、本発明のこの実施形態におけるページング決定方法によれば、複数の端末デバイスがＭ個のグループに分類され、ネットワークデバイスは、Ｍ個のグループの中で、第１ページングオケージョンにおいてページングされる第１端末デバイスが属する第１グループを決定し、該第１グループに基づいて、第１端末デバイスのデバイス識別子を含むページング情報を示すために使用される制御情報を送信する。このようにして、第１ページングオケージョンにおいて起動する端末デバイスは、端末デバイスが属するグループに基づいて制御情報をリッスン又は受信して、制御情報のリッスン結果及び制御情報に基づいて、端末デバイスがページングされる可能性があるかどうかを判定することができる。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【００９１】
更に、ページングされる端末デバイスの数が比較的多く、ページング情報を運ぶダウンリンクデータチャネルの容量が比較的小さいとき、ネットワークデバイスは、ページングされる端末デバイスの数と、ダウンリンクデータチャネルで運ばれ得る情報の量とに基づいて、限られた数のグループにおいて全て分配されている端末デバイスにページングすることを選択することができる。このようにして、限られた数のグループに属さない端末デバイスがリッスンにより制御情報を取得した後又は制御情報を受信した後、端末デバイスは、その端末デバイスがページングされないと決定し、スリープ状態を再開することができ、それによって、電力消費は有効に低減される。
【００９２】
本発明のこの実施形態で、端末デバイス＃Ａが属するグループ＃Ａを決定した後、ネットワークデバイスは、グループ＃Ａに基づいて制御情報を送信する。ネットワークデバイスの具体的な送信方法には、４つの場合がある。４つの場合は、以下で、次の実施形態を使用することによって詳細に記載される。
【００９３】
場合１
図３は、本発明の他の実施形態に従うページング決定方法の略フローチャートである。図３に示されるように、
ネットワークデバイスによって、第１グループに基づいて制御情報を送信することは、次のステップを含む。
【００９４】
Ｓ３２１．ネットワークデバイスは、第１グループに対応する第１グループ識別情報を決定し、このとき、第１グループ識別情報は、第１グループを識別するために使用される。
【００９５】
Ｓ３２２．ネットワークデバイスは、第１グループ識別情報に基づいて制御情報を生成する。
【００９６】
Ｓ３２３．ネットワークデバイスは制御情報を送信する。
【００９７】
具体的に、Ｎ片のグループ識別情報が通信システムにおいて事前設定又は設定され、Ｎ片のグループ識別情報はＭ個のグループに対応し、ＮはＭ以上の整数である。すなわち、Ｍ個のグループの夫々は、Ｎ片のグループ識別情報のうちの少なくとも１つのグループ識別情報に対応し、いずれか２つのグループは、異なるグループ識別情報に対応する。
【００９８】
このように、端末デバイス＃Ａが属するグループ＃Ａをネットワークデバイスが決定した後、Ｓ３２１で、ネットワークデバイスは、Ｎ片のグループ識別情報の中で、グループ＃Ａに対応するグループ識別情報＃Ａ（第１グループ識別情報の例）を決定し得る。グループ識別情報＃Ａは、グループ＃Ａに対応する少なくとも１片のグループ識別情報のうちのいずれか１つである。
【００９９】
次いでＳ３２２で、ネットワークデバイスは、グループ識別情報＃Ａに基づいて制御情報を生成し、Ｓ３２３で、ネットワークデバイスは制御情報を送信する。
【０１００】
端末デバイス＃Ｂ（第２端末デバイスの例）が制御情報をリッスンすることは、具体的に次の通りである。
【０１０１】
Ｓ３３１．第２端末デバイスは、第２端末デバイスが属する第２グループを決定し、このとき、第２グループはＭ個のグループに属する。
【０１０２】
Ｓ３３２．第２端末デバイスは、第２グループに対応する第２グループ識別情報を決定し、このとき、第２グループ識別情報は、第２グループを識別するために使用される。
【０１０３】
Ｓ３３３．第２端末デバイスは、第１ページングオケージョンにおいて第２グループ識別情報に基づき、ネットワークデバイスによって送信される制御情報をリッスンする。
【０１０４】
Ｓ３３４．第２端末デバイスは、制御情報のリッスン結果に基づいて、第２端末デバイスがページングされるかどうかを判定する。
【０１０５】
具体的に、端末デバイス＃Ｂは、ページングに関する制御情報をリッスンするよう第１ページングオケージョンにおいて起動する必要がある。Ｓ３３１で、端末デバイス＃Ｂは最初に、Ｍ個のグループの中で、端末デバイス＃Ｂが属するグループ、すなわちグループ＃Ｂ（第２グループの例）を決定する。Ｓ３３２で、端末デバイス＃Ｂは、システム内で事前設定又は設定されているＮ片のグループ識別情報の中で、グループ＃Ｂに対応するグループ識別情報＃Ｂ（第２グループ識別情報の例）を決定する。Ｓ３３３で、端末デバイス＃Ｂは、グループ識別情報＃Ｂに基づいて制御情報をリッスンする。すなわち、端末デバイス＃Ｂは、グループ識別情報＃Ｂを使用することによって、制御情報を検出する。次いでＳ３３４で、端末デバイス＃Ｂは、制御情報のリッスン結果に基づいて、端末デバイス＃Ｂがページングされるかどうかを判定する。
【０１０６】
具体的に、第２端末デバイスによって制御情報のリッスン結果に基づいて、第２端末デバイスがページングされるかどうかを判定することは、
第２端末デバイスがリッスンにより制御情報を取得する場合に、第２端末デバイスによって、制御情報に基づいてページング情報を受信し、該ページング情報に基づいて、第２端末デバイスがページングされるかどうかを判定すること、又は
第２端末デバイスがリッスンにより制御情報を取得することができない場合に、第２端末デバイスによって、第２端末デバイスがページングされないと決定すること
を含む。
【０１０７】
すなわち、端末デバイス＃Ｂがグループ識別情報＃Ｂを使用することによって制御情報を検出するとき、２つのリッスン結果が存在する。
【０１０８】
結果１
端末デバイス＃Ｂは、リッスンにより制御情報を取得することに成功する。
【０１０９】
この場合に、それは、グループ識別情報＃Ｂがグループ識別情報＃Ａと同じであり、端末デバイス＃Ｂが制御情報を受信することを示す。
【０１１０】
次いで、端末デバイス＃Ｂは、制御情報に基づいてページング情報を受信する。具体的に、端末デバイス＃Ｂは、制御情報によって示されるダウンリンクデータチャネル上でページング情報を受信し、ページング情報に対して復調及び復号化のような処理を実行して、ページング情報を取得する。
【０１１１】
ページング情報を取得した後、端末デバイス＃Ｂは、ページング情報に含まれているデバイス識別子に基づいて、端末デバイス＃Ｂがページングされるかどうかを判定する。ページング情報が端末デバイス＃Ｂのデバイス識別子を含む場合に、端末デバイス＃Ｂは、端末デバイス＃Ｂがページングされると決定する。ページング情報が端末デバイス＃Ｂのデバイス識別子を含まない場合に、端末デバイス＃Ｂは、端末デバイス＃Ｂがページングされないと決定する。
【０１１２】
本発明のこの実施形態で、ページング情報は、端末デバイス＃Ａのデバイス識別子を含む。ページング情報が端末デバイス＃Ａのデバイス識別子しか含まない場合に、上記の説明に対する逆の説明は次の通りである。端末デバイス＃Ｂがページングされると端末デバイス＃Ｂが決定する場合に、それは、端末デバイス＃Ｂ及び端末デバイス＃Ａが同じ端末デバイスであることを示す。端末デバイス＃Ｂがページングされないと端末デバイス＃Ｂが決定する場合に、それは、端末デバイス＃Ｂ及び端末デバイス＃Ａが異なる端末デバイスであることを示す。
【０１１３】
上述されたように、ページングされる必要がある複数の端末デバイス（端末デバイス＃Ａを含む。）がグループ＃Ａに属するとネットワークデバイスが決定する場合に、制御情報は、端末デバイス＃Ａのデバイス識別子を含むだけでなく、端末デバイス＃Ａ以外にページングされる必要がある複数の端末デバイスの中の端末デバイスのデバイス識別子も含む。すなわち、ページング情報は、複数の端末デバイスが第１ページングオケージョンにおいてページングされる必要があり且つグループ＃Ａに属するという条件で、複数の端末デバイスのデバイス識別子を含む。例えば、ページング情報が端末デバイス＃Ａのデバイス識別子を含むだけでなく、端末デバイス＃Ｂのデバイス識別子も含む場合に、ページング情報を取得した後に、端末デバイス＃Ｂは、ページング情報が端末デバイス＃Ｂのデバイス識別子を含むことを決定するとともに、端末デバイス＃Ｂがページングされることも決定する。
【０１１４】
結果２
端末デバイス＃Ｂは、リッスンにより制御情報を取得することができない。
【０１１５】
この場合に、それは、グループ識別情報＃Ｂがグループ識別情報＃Ａと異なり、端末デバイス＃Ｂはリッスンにより制御情報を取得することができず、端末デバイス＃Ｂは、端末デバイス＃Ｂがページングされないと決定し、スリープ状態を再開することを示す。
【０１１６】
先行技術では、たとえ端末デバイス＃Ｂがページングされないとしても、制御情報を受信した後、端末デバイス＃Ｂは依然としてページング情報を受信し、次いで、ページング情報に基づいて、端末デバイス＃Ｂがページングされるかどうかを判定し（実際には、端末デバイス＃Ｂはページングされない。）、結果として電力浪費がもたらされる。本発明のこの実施形態では、端末デバイス＃Ｂがリッスンにより制御情報を取得することができない場合に、端末デバイス＃Ｂは、端末デバイス＃Ｂがページングされないと直接決定することができ、もはや、ページング情報を受信し且つその後のステップを実行する必要はない。これは、先行技術と比較して電力消費を有効に低減する。
【０１１７】
本発明のこの実施形態で、複数のグループの夫々がページングされる必要がある少なくとも１つの端末デバイスを含む場合に、ネットワークデバイスは、各グループに対応する制御情報を送信する。制御情報の各片は、対応するグループ識別情報を使用することによって生成され、制御情報は、対応するグループのページング情報を含み、ページング情報の各片は、ページングされる端末デバイスのデバイス識別子を含む。第１ページングオケージョンにおいて起動する任意の端末デバイスは、ネットワークデバイスによって送信される制御情報をリッスンし、更には、リッスン結果に基づいて、その端末デバイスがページングされるかどうかを判定する。
【０１１８】
例えば、５つの端末デバイスが、制御情報をリッスンするよう第１ページングオケージョンにおいて起動する必要があり、ネットワークデバイスは、３つの端末デバイスがページングされる必要があると決定する。３つの端末デバイスは端末デバイス＃１、端末デバイス＃２、及び端末デバイス＃３と表され、端末デバイス＃１はグループ＃１に属し、端末デバイス＃２及び端末デバイス＃３はグループ＃２に属する。ネットワークデバイスは、グループ＃１に対応するグループ識別情報＃１に基づいて制御情報（区別及び理解の容易のために、制御情報＃１と表される。）を送信する。制御情報＃１は、グループ＃１に対応するページング情報（区別及び理解の容易のために、ページング情報＃１と表される。）を示し、ページング情報＃１は、端末デバイス＃１のデバイス識別子を含む。ネットワークデバイスは、グループ＃２に対応するグループ識別情報＃２に基づいて制御情報（区別及び理解の容易のために、制御情報＃２と表される。）を送信する。制御情報＃２は、グループ＃２に対応するページング情報（区別及び理解の容易のために、ページング情報＃２と表される。）を示し、ページング情報＃２は、端末デバイス＃２のデバイス識別子及び端末デバイス＃３のデバイス識別子を含む。
【０１１９】
端末デバイス＃Ｂが依然として例として使用される。端末デバイス＃Ｂは、グループ識別情報＃Ｂに基づいて、ネットワークデバイスによって送信される制御情報＃１及び制御情報＃２をリッスンする。２片の制御情報のうちのいずれか一方がリッスンにより成功裏に取得される場合に、制御情報＃１がリッスンにより成功裏に取得されるとするならば（グループ識別情報＃Ｂがグループ識別情報＃１と同じであることを示す。）、端末デバイス＃Ｂは、制御情報＃１に基づいてページング情報＃１を受信し、ページング情報＃１に基づいて、端末デバイス＃Ｂがページングされるかどうかを判定する。２片の制御情報のうちのどれもリッスンにより成功裏に取得されない場合に、それは、端末デバイス＃Ｂがページングされないことを示し、端末デバイス＃Ｂはスリープ状態を再開する。
【０１２０】
端末デバイスがページングされる必要があると決定するときにのみ、ネットワークデバイスは、グループ識別情報を使用することによって生成された制御情報を送信することが理解されるべきである。端末デバイスがページングされる必要がない場合には、ネットワークデバイスは、グループ識別情報を使用することによって生成された制御情報を送信しない。
【０１２１】
任意に、第１グループ識別情報は、第１ページング無線ネットワーク一時識別子（Paging  Radio  Network  Temporary  Identifier，Ｐ−ＲＮＴＩ）である。
【０１２２】
ネットワークデバイスによって、第１グループ識別情報に基づいて制御情報を生成することは、
ネットワークデバイスによって、第１Ｐ−ＲＮＴＩを使用することによってスクランブリングにより制御情報を生成することを含む。
【０１２３】
具体的に、本発明のこの実施形態で、グループ識別情報はＰ−ＲＮＴＩであってよく、Ｎ片のグループ識別情報はＮ個のＰ−ＲＮＴＩに対応し、各グループは少なくとも１つのＰ−ＲＮＴＩに対応する。グループ識別情報＃Ａは第１Ｐ−ＲＮＴＩ（区別及び理解の容易のために、Ｐ−ＲＮＴＩ＃Ａと表される。）に対応する。
【０１２４】
このように、ネットワークデバイスは、制御情報を送信するために、Ｐ−ＲＮＴＩ＃Ａを使用することによって制御情報のオリジナル情報（すなわち、スクランブルされていない情報）をスクランブルする。
【０１２５】
相応して、端末デバイス＃Ｂに関して、グループ識別情報＃Ｂは、Ｎ個のＰ−ＲＮＴＩのうちの第２Ｐ−ＲＮＴＩ（区別及び理解の容易のために、Ｐ−ＲＮＴＩ＃Ｂと表される。）であってよい。端末デバイス＃Ｂは、端末デバイス＃Ｂがページングされるかどうかを判定するために、Ｐ−ＲＮＴＩ＃Ｂを使用することによって制御情報を復号する（すなわち、Ｐ−ＲＮＴＩ＃Ｂを使用することによって制御情報をリッスンする）。
【０１２６】
例えば、しかし制限なしに、グループ識別情報は異なるＰ−ＲＮＴＩであってよく、あるいは、異なる制御情報を区別するために使用されるスクランブリングシーケンス、ビット列、などであってよい。これは、本発明のこの実施形態で制限されない。
【０１２７】
任意に、ネットワークデバイスによって、第１グループに基づいて制御情報を送信することより前に、方法は、
ネットワークデバイスによって、第１指示情報を送信することを更に含み、
第１指示情報は、Ｍ個のグループとＮ片のグループ識別情報との間の対応を示すために使用され、ＮはＭ以上の整数である。
【０１２８】
すなわち、ネットワークデバイスは、関連するシグナリングを使用することによって、Ｍ個のグループとＮ片のグループ識別情報との間の設定された対応を端末デバイスへ送信する。第１指示情報は、上位層シグナリングであっても、あるいは、静的シグナリング又は準静的シグナリングであってもよい。これは、ここで制限されない。
【０１２９】
従って、本発明のこの実施形態におけるページング決定方法によれば、ネットワークデバイスは、Ｍ個のグループの中で、第１ページングオケージョンにおいてページングされる第１端末デバイスが属する第１グループを決定し、第１グループに対応する第１グループ識別情報に基づいて、第１端末デバイスのデバイス識別子を含むページング情報を示すために使用される制御情報を送信する。このようにして、第１ページングオケージョンにおいて起動する第２端末デバイスは、第２端末デバイスが属する第２グループに対応する第２グループ識別情報に基づいて制御情報をリッスンして、制御情報のリッスン結果に基づいて、前もって、第２端末デバイスがページングされる可能性があるかどうかを判定することができる。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【０１３０】
場合２
図４は、本発明の他の実施形態に従うページング決定方法の略フローチャートである。図４に示されるように、
ネットワークデバイスによって、第１グループに基づいて制御情報を送信することは、次のステップを含む。
【０１３１】
Ｓ４２１．ネットワークデバイスは、第１グループに対応する第１リソースを決定し、このとき、第１リソースは、次のリソース：第１時間周波数リソース、第１時間領域リソース、第１周波数領域リソース、又は第１符号領域リソースのうちのいずれか１つである。
【０１３２】
Ｓ４２２．ネットワークデバイスは、第１リソースで制御情報を送信する。
【０１３３】
具体的に、Ｎ個のリソースが、通信システムにおいて事前設定又は設定され、Ｎ個のリソースの夫々は、周波数領域リソース、時間領域リソース、時間周波数リソース、及び符号領域リソースのうちのいずれか１つであってよく、Ｎ個のリソースはＭ個のグループに対応し、ＮはＭ以上の整数である。すなわち、Ｍ個のグループの夫々は、Ｎ個のリソースの中の少なくとも１つのリソースに対応し、いずれか２つのグループは異なるリソースに対応する。
【０１３４】
このように、端末デバイス＃Ａが属するグループ＃Ａをネットワークデバイスが決定した後、Ｓ４２１で、ネットワークデバイスは、Ｎ個のリソースの中で、グループ＃Ａに対応するリソース＃Ａ（第１リソースの例）を決定し得る。リソース＃Ａは、グループ＃Ａに対応する少なくとも１つのリソースのうちのいずれか１つである。
【０１３５】
次いでＳ４２２で、ネットワークデバイスは、決定されたリソース＃Ａで制御情報を送信する。
【０１３６】
端末デバイス＃Ｂが制御情報をリッスンすることは、具体的に次の通りである。
【０１３７】
Ｓ４３１．第２端末デバイスは、第２端末デバイスが属する第２グループを決定し、このとき、第２グループはＭ個のグループに属する。
【０１３８】
Ｓ４３２．第２端末デバイスは、第２グループに対応する第２リソースを決定し、このとき、第２リソースは、次のリソース：第２時間周波数リソース、第２時間領域リソース、第２周波数領域リソース、又は第２符号領域リソースのうちのいずれか１つである。
【０１３９】
Ｓ４３３．第２端末デバイスは、第１ページングオケージョンにおいて第２リソース、ネットワークデバイスによって送信される制御情報をリッスンする。
【０１４０】
Ｓ４３４．第２端末デバイスは、制御情報のリッスン結果に基づいて、第２端末デバイスがページングされるかどうかを判定する。
【０１４１】
具体的に、端末デバイス＃Ｂは、ページングに関する制御情報をリッスンするよう第１ページングオケージョンにおいて起動する必要がある。Ｓ４３１で、端末デバイス＃Ｂは最初に、Ｍ個のグループの中で、端末デバイス＃Ｂが属するグループ、すなわちグループ＃Ｂ（第２グループの例）を決定する。Ｓ４３２で、端末デバイス＃Ｂは、システム内で事前設定又は設定されているＮ個のリソースの中で、グループ＃Ｂに対応するリソース＃Ｂ（第２リソースの例）を決定する。Ｓ４３３で、端末デバイス＃Ｂは、決定されたリソース＃Ｂで制御情報をリッスンする。端末デバイス＃Ｂは、リソース＃Ｂで制御情報を受信しようと試みる。次いでＳ４３４で、端末デバイス＃Ｂは、制御情報のリッスン結果に基づいて、端末デバイス＃Ｂがページングされるかどうかを判定する。
【０１４２】
具体的に、第２端末デバイスによって制御情報のリッスン結果に基づいて、第２端末デバイスがページングされるかどうかを判定することは、
第２端末デバイスがリッスンにより制御情報を取得する場合に、第２端末デバイスによって、制御情報に基づいてページング情報を受信し、該ページング情報に基づいて、第２端末デバイスがページングされるかどうかを判定すること、又は
第２端末デバイスがリッスンにより制御情報を取得することができない場合に、第２端末デバイスによって、第２端末デバイスがページングされないと決定すること
を含む。
【０１４３】
すなわち、端末デバイス＃Ｂがリソース＃Ｂを使用することによって制御情報をリッスンするとき、２つのリッスン結果が存在する。
【０１４４】
結果１
端末デバイス＃Ｂは、リッスンにより制御情報を取得することに成功する。
【０１４５】
この場合に、それは、リソース＃Ｂ及びリソース＃Ａが同じリソースであり、端末デバイス＃Ｂが制御情報を受信することを示す。
【０１４６】
次いで、端末デバイス＃Ｂは、制御情報に基づいてページング情報を受信する。具体的に、端末デバイス＃Ｂは、制御情報によって示されるダウンリンクデータチャネル上でページング情報を受信し、ページング情報に対して復調及び復号化のような処理を実行して、ページング情報を取得する。
【０１４７】
ページング情報を取得した後、端末デバイス＃Ｂは、ページング情報に含まれているデバイス識別子に基づいて、端末デバイス＃Ｂがページングされるかどうかを判定する。ページング情報が端末デバイス＃Ｂのデバイス識別子を含む場合に、端末デバイス＃Ｂは、端末デバイス＃Ｂがページングされると決定する。ページング情報が端末デバイス＃Ｂのデバイス識別子を含まない場合に、端末デバイス＃Ｂは、端末デバイス＃Ｂがページングされないと決定する。
【０１４８】
本発明のこの実施形態で、ページング情報は、端末デバイス＃Ａのデバイス識別子を含む。ページング情報が端末デバイス＃Ａのデバイス識別子しか含まない場合に、上記の説明に対する逆の説明は次の通りである。端末デバイス＃Ｂがページングされると端末デバイス＃Ｂが決定する場合に、それは、端末デバイス＃Ｂ及び端末デバイス＃Ａが同じ端末デバイスであることを示す。端末デバイス＃Ｂがページングされないと端末デバイス＃Ｂが決定する場合に、それは、端末デバイス＃Ｂ及び端末デバイス＃Ａが異なる端末デバイスであることを示す。
【０１４９】
上述されたように、ページングされる必要がある複数の端末デバイス（端末デバイス＃Ａを含む。）がグループ＃Ａに属するとネットワークデバイスが決定する場合に、制御情報は、端末デバイス＃Ａのデバイス識別子を含むだけでなく、端末デバイス＃Ａ以外にページングされる必要がある複数の端末デバイスの中の端末デバイスのデバイス識別子も含む。すなわち、ページング情報は、複数の端末デバイスが第１ページングオケージョンにおいてページングされる必要があり且つグループ＃Ａに属するという条件で、複数の端末デバイスのデバイス識別子を含む。例えば、ページング情報が端末デバイス＃Ａのデバイス識別子を含むだけでなく、端末デバイス＃Ｂのデバイス識別子も含む場合に、ページング情報を取得した後に、端末デバイス＃Ｂは、ページング情報が端末デバイス＃Ｂのデバイス識別子を含むことを決定するとともに、端末デバイス＃Ｂがページングされることも決定する。
【０１５０】
結果２
端末デバイス＃Ｂは、リッスンにより制御情報を取得することができない。
【０１５１】
この場合に、それは、リソース＃Ｂがリソース＃Ａと異なり、端末デバイス＃Ｂはリッスンにより制御情報を取得することができず、端末デバイス＃Ｂは、端末デバイス＃Ｂがページングされないと決定し、スリープ状態を再開することを示す。
【０１５２】
本発明のこの実施形態で、複数のグループの夫々がページングされる必要がある少なくとも１つの端末デバイスを含む場合に、ネットワークデバイスは、各グループに対応する制御情報を送信する。制御情報の各片は、対応するリソースを使用することによって送信され、制御情報は、対応するグループのページング情報を含み、ページング情報の各片は、ページングされる端末デバイスのデバイス識別子を含む。第１ページングオケージョンにおいて起動する任意の端末デバイスは、ネットワークデバイスによって送信される制御情報をリッスンし、更には、リッスン結果に基づいて、その端末デバイスがページングされるかどうかを判定する。
【０１５３】
同様に、５つの端末デバイスが制御情報をリッスンするよう第１ページングオケージョンにおいて起動する必要がある例を使用することによって、記載が与えられる。例えば５つの端末デバイスは、制御情報をリッスンするよう第１ページングオケージョンにおいて起動する必要があり、ネットワークデバイスは、３つの端末デバイスがページングされる必要があると決定する。３つの端末デバイスは端末デバイス＃１、端末デバイス＃２、及び端末デバイス＃３と表され、端末デバイス＃１はグループ＃１に属し、端末デバイス＃２及び端末デバイス＃３はグループ＃２に属する。ネットワークデバイスは、グループ＃１に対応するリソース＃１で制御情報（区別及び理解の容易のために、制御情報＃１と表される。）を送信する。制御情報＃１は、グループ＃１に対応するページング情報（区別及び理解の容易のために、ページング情報＃１と表される。）を示し、ページング情報＃１は、端末デバイス＃１のデバイス識別子を含む。ネットワークデバイスは、グループ＃２に対応するリソース＃２で制御情報（区別及び理解の容易のために、制御情報＃２と表される。）を送信する。制御情報＃２は、グループ＃２に対応するページング情報（区別及び理解の容易のために、ページング情報＃２と表される。）を示し、ページング情報＃２は、端末デバイス＃２のデバイス識別子及び端末デバイス＃３のデバイス識別子を含む。
【０１５４】
端末デバイス＃Ｂが依然として例として使用される。端末デバイス＃Ｂは、端末デバイス＃Ｂによって決定されたリソース＃Ｂで、ネットワークデバイスによって送信される制御情報をリッスンする。制御情報＃１及び制御情報＃２のうちのいずれか一方がリッスンにより成功裏に取得される場合に、制御情報＃１がリッスンにより成功裏に取得されるとするならば（リソース＃Ｂがリソース＃１と同じであることを示す。）、端末デバイス＃Ｂは、制御情報＃１に基づいてページング情報＃１を受信し、ページング情報に基づいて、端末デバイス＃Ｂがページングされるかどうかを判定する。２片の制御情報のうちのどれもリッスンにより成功裏に取得されない場合に、それは、端末デバイス＃Ｂがページングされないことを示し、端末デバイス＃Ｂはスリープ状態を再開する。
【０１５５】
任意に、ネットワークデバイスによって、第１グループに基づいて制御情報を送信することより前に、方法は、
ネットワークデバイスによって、第２指示情報を送信することを更に含み、
第２指示情報は、Ｍ個のグループとＰ個のリソースとの間の対応を示すために使用され、Ｐ個のリソースは、次のリソース：時間周波数リソース、時間領域リソース、周波数領域リソース、又は符号領域リソースのうちのいずれか１つであり、ＰはＭ以上の整数である。
【０１５６】
すなわち、ネットワークデバイスは、関連するシグナリングを使用することによって、Ｍ個のグループとＰ個のリソースとの間の設定された対応を端末デバイスへ送信する。第２指示情報は、上位層シグナリングであっても、あるいは、静的シグナリング又は準静的シグナリングであってもよい。これは、ここで制限されない。
【０１５７】
従って、本発明のこの実施形態におけるページング決定方法によれば、ネットワークデバイスは、Ｍ個のグループの中で、第１ページングオケージョンにおいてページングされる第１端末デバイスが属する第１グループを決定し、第１グループに対応する第１リソースで、第１端末デバイスのデバイス識別子を含むページング情報を示すために使用される制御情報を送信する。このようにして、第１ページングオケージョンにおいて起動する第２端末デバイスは、第２端末デバイスが属する第２グループに対応する第２リソースで、ネットワークデバイスによって送信される制御情報をリッスンして、制御情報のリッスン結果に基づいて、前もって、第２端末デバイスがページングされる可能性があるかどうかを判定することができる。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【０１５８】
場合３
図５は、本発明の他の実施形態に従うページング決定方法の略フローチャートである。図５に示されるように、
Ｓ５１０．ネットワークデバイスは、第１ページングオケージョンにおいてページングされる第１端末デバイスが属する第１グループを決定する。
【０１５９】
Ｓ５２０．ネットワークデバイスは、第１グループに基づいて制御情報を送信する。
【０１６０】
任意に、制御情報は第１フィールドを含み、第１フィールドはＭビットを含み、ＭビットはＭ個のグループに対応し、Ｍビットにおける第１グループに対応する第１ビットの値は、第１グループ内の少なくとも１つの端末デバイスがページングされることを示すために使用される。
【０１６１】
具体的に、第１フィールドに含まれるＭビットは、第１ページングオケージョンにおいて起動する必要がある全ての端末デバイスがページングされる可能性があるという情報、すなわち、Ｍ個のグループ内の端末デバイスがページングされる可能性があるという情報を含む。ＭビットはＭ個のグループに対応し、Ｍビットの夫々の値は、対応するグループ内の少なくとも１つの端末デバイスがページングされることを示すために使用されるか、あるいは、Ｍビットの夫々の値は、対応するグループ内の端末デバイスがページングされないことを示すために使用される。グループ＃Ａに関して、グループ＃Ａに対応するビット＃Ａ（第１ビットの例）は、グループ＃Ａ内の少なくとも１つの端末デバイス（端末デバイス＃Ａを含む。）がページングされることを示すために使用される。
【０１６２】
第１フィールドはＭビットを含むので、ネットワークデバイスは、グループ＃Ａ内の端末デバイス＃Ａがページングされることを決定するだけではなく、グループ＃Ａ内の他の端末デバイスがページングされるかどうかも決定し、そして、Ｍビットの夫々に値を割り当てるように、全ての他のＭ−１個のグループ内の端末デバイスがページングされるかどうかを１つずつ決定する。
【０１６３】
相応して、端末デバイス＃Ｂの具体的なステップは、次の通りである。
【０１６４】
Ｓ５２０．第２端末デバイスは、制御情報を受信する。
【０１６５】
Ｓ５３１．第２端末デバイスは、第２端末デバイスが属する第２グループを決定し、このとき、第２グループはＭ個のグループに属する。
【０１６６】
Ｓ５３２．第２端末デバイスは、第１フィールド内の第２ビットに基づいて、第２端末デバイスがページングされるかどうかを判定し、このとき、第２ビットはＭビットに属し、第２ビットの値は、第２グループ内の少なくとも１つの端末デバイスがページングされるかどうかを示すために使用される。
【０１６７】
Ｓ５３１で、端末デバイス＃Ｂは最初に、Ｍ個のグループの中で、端末デバイス＃Ｂが属するグループ、すなわちグループ＃Ｂを決定する。
【０１６８】
Ｓ５３２で、端末デバイス＃Ｂは、グループ＃Ｂに基づき第１フィールドにおいて、グループ＃Ｂに対応するビット＃Ｂ（第２ビットの例）を決定し、次いで、ビット＃Ｂの値に基づいて、端末デバイス＃Ｂがページングされるかどうかを更に決定する。グループ＃Ｂ内の少なくとも１つの端末デバイスがページングされることをビット＃Ｂが示す場合に、端末デバイス＃Ｂは、制御情報に基づいてページング情報を受信する。ページング情報が端末デバイス＃Ｂのデバイス識別子を含む場合に、端末デバイス＃Ｂはページングされる。ページング情報が端末デバイス＃Ｂのデバイス識別子を含まない場合に、端末デバイス＃Ｂはページングされない。グループ＃Ｂ内の端末デバイスがページングされないとビット＃Ｂが示す場合に、端末デバイス＃Ｂは、端末デバイス＃Ｂがページングされないと決定する。確かに、端末デバイス＃Ｂ及び端末デバイス＃Ａが同じ端末デバイスである場合に、ビット＃Ｂはビット＃Ａと同じである。
【０１６９】
図６は、本発明の実施形態に従う制御情報内の第１フィールドの概略図である。以下は、図６を参照して本発明のこの実施形態について更に記載する。
【０１７０】
図６において、第１フィールドは、８つのグループに夫々対応している８つのビットを含む。具体的に言えば、第１ビットはグループ＃１に対応し（すなわち、第１フィールド内の第１ビットはグループ＃１に対応し）、第２ビットはグループ＃２に対応し（すなわち、第１フィールド内の第２ビットはグループ＃２に対応し）、以降続く。“０”は、ビットに対応するグループ内の端末デバイスがページングされないことを示し、“１”は、ビットに対応するグループ内の少なくとも１つの端末デバイスがページングされること示す。代替的に、“０”は、ビットに対応するグループ内の少なくとも１つの端末デバイスがページングされることを示し、“１”は、ビットに対応するグループ内の端末デバイスがページングされないことを示す。
【０１７１】
例えば、端末デバイス＃Ｂに対応するグループ＃Ｂがグループ＃５であり、グループ＃５に対応する第５ビットの値が“０”である。それは、グループ＃５内の端末デバイスがページングされないことを示す。次いで、端末デバイス＃Ｂは、第５ビットの値に基づいて、端末デバイス＃Ｂがページングされないことを決定し得る。他の例として、端末デバイス＃Ｂに対応するグループ＃Ｂがグループ＃６であり、グループ＃６に対応する第６ビットの値が“１”である。それは、グループ＃６内の少なくとも１つの端末デバイスがページングされることを示す。次いで、端末デバイス＃Ｂは、第６ビットの値に基づいて、端末デバイス＃Ｂがページングされる可能性があると決定し、そして、端末デバイス＃Ｂは、端末＃Ｂがページングされるかどうかを判定するために、制御情報に基づいてページング情報を受信する。
【０１７２】
例えば、しかし制限なしに、ＭビットとＭ個のグループとの間の上記の対応は、単に、記載のための例であり、本発明のこの実施形態は、それに制限されない。例えば、ＭビットとＭ個のグループとの間の対応は、代替的に、次の対応（逆の対応）であってよく、第１ビットはグループ＃８に対応し、第２ビットはグループ＃７に対応し、以降続く。
【０１７３】
場合３と場合１及び場合２の夫々との間の相違点は、ネットワークデバイスが、ページングされる端末デバイスが属するグループの数に関わらず、１片の制御情報を送信し、制御情報が共通のＰ−ＲＮＴＩを使用することによってスクランブルされ、それにより、全ての端末デバイスが制御情報を受信することができる点であることが留意されるべきである。ネットワークデバイスは、ページングに関する情報（すなわち、第１フィールド）を制御情報に加え、端末デバイスは、制御情報に基づいて、端末デバイスがページングされるかどうかを更に判定する。
【０１７４】
同様に、ページングされる端末デバイスが属するグループの数に関わらず、ページングされる端末デバイスの識別子は全て、１片のページング情報、すなわち、制御情報において運ばれるページング情報に加えられる。
【０１７５】
従って、本発明のこの実施形態における方法によれば、Ｍビットを含む第１フィールドが制御情報に加えられ、ＭビットはＭ個のグループに対応し、各ビットは、対応するグループ内の少なくとも１つの端末デバイスがページングされるかどうかを示すために使用される。このようにして、第１ページングオケージョンにおいて起動する第２端末デバイスは、制御情報を受信して、該制御情報内の第１フィールドに基づいて、前もって、第２端末デバイスがページングされる可能性があるかどうかを判定することができる。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【０１７６】
場合４
図７は、本発明の更なる他の実施形態に従うページング決定方法の略フローチャートである。図７に示されるように、
Ｓ６１０．ネットワークデバイスは、第１ページングオケージョンにおいてページングされる第１端末デバイスが属する第１グループを決定する。
【０１７７】
Ｓ６２０．ネットワークデバイスは、第１グループに基づいて制御情報を送信する。
【０１７８】
任意に、制御情報は第１フィールドを含み、第１フィールドはＮビットを含み、第１フィールドは、第１グループ内の少なくとも１つの端末デバイスがページングされることを示すために使用される。
【０１７９】
具体的に、第１フィールドはＮビットを含み、Ｎビットを含むビット列（区別及び理解の容易のために、ビット列＃Ａと表される。）は、グループ＃Ａ内の少なくとも１つの端末デバイス（端末デバイス＃Ａを含む。）がページングされることを示すために使用される。
【０１８０】
任意に、Ｎ＝ｌｏｇ２（Ｍ）。
【０１８１】
例えば、Ｍ＝８の場合に、Ｎ＝３。その場合に、３ビットを含むビット列が、グループ＃Ａ内の端末デバイスのページングステータスを示すために使用される。具体的に、３つの２進ビットを含むビット列は、Ｍ個のグループに対応する。例えば、３つの２進ビットを含むビット列は、８個のビット列であり、８つのグループに対応し得る。０００は第１グループに対応し、００１は第２グループに対応し、以降続く。具体的な対応方法は、本発明のこの実施形態で制限されない。
【０１８２】
Ｎビット列を含むＭ個のビット列は、通信システムにおいて事前設定又は設定されてよく、Ｎビット列を含むＭ個のビット列はＭ個のグループに対応する。ネットワークデバイスは、グループ＃Ａがページングされる必要があると決定し、制御情報に対して、Ｍ個のＮビット列に含まれ且つグループ＃Ａに対応するビット列＃Ａを加える。
【０１８３】
相応して、端末デバイス＃Ｂの具体的なステップは、次の通りである。
【０１８４】
Ｓ６２０．第２端末デバイスは、第１ページングオケージョンにおいて、ネットワークデバイスによって送信される制御情報を受信する。
【０１８５】
Ｓ６３１．第２端末デバイスは、第２端末デバイスが属する第２グループを決定し、このとき、第２グループはＭ個のグループに属する。
【０１８６】
Ｓ６３２．第２端末デバイスは、第１フィールドに基づいて、第２端末デバイスがページングされるかどうかを判定する。
【０１８７】
Ｓ６３１で、端末デバイス＃Ｂは最初に、Ｍ個のグループの中で、端末デバイス＃Ｂが属するグループ、すなわちグループ＃Ｂを決定する。
【０１８８】
Ｓ６３２で、端末デバイス＃Ｂは、第１フィールドに基づいて、端末デバイス＃Ｂがページングされるかどうかを判定する。
【０１８９】
具体的に、端末デバイス＃Ｂによってビット列＃Ａに基づいて、端末デバイス＃Ｂがページングされるかどうかを判定することは、
第２グループ内の少なくとも１つの端末デバイスがページングされることを第１フィールドが示す場合に、第２端末デバイスによって、制御情報に基づいてページング情報を受信し、該ページング情報に基づいて、第２端末デバイスがページングされるかどうかを判定することを含む。
【０１９０】
すなわち、グループ＃Ｂ内の少なくとも１つの端末デバイスがページングされることをビット列＃Ａが示す場合に、端末デバイス＃Ｂは、制御情報に基づいてページング情報を受信し、該ページング情報に基づいて、端末デバイス＃Ｂがページングされるかどうかを判定する。
【０１９１】
代替的に、端末デバイス＃Ｂが属するグループ＃Ｂを決定した後、端末デバイス＃Ｂは、前もってセットされたＭ個のビット列の中から、端末デバイス＃Ｂに対応する第２フィールドを決定し、第２フィールドはビット列＃Ｂ（第２ビット列の例）を含むことが理解され得る。すなわち、端末デバイス＃Ｂは、端末デバイス＃Ｂに対応するビット列＃Ｂを決定し、ビット列＃Ｂがビット列＃Ａと同じである場合に、端末デバイス＃Ｂは、制御情報に基づいてページング情報を受信し、該ページング情報に基づいて、端末デバイス＃Ｂがページングされるかどうかを判定する。
【０１９２】
実際に、ネットワークデバイスの視点から、第１フィールドは、グループ＃２内の少なくとも１つの端末デバイスがページングされることを示す。すなわち、グループ＃１はグループ＃２と同じである。
【０１９３】
この場合に、端末デバイス＃Ｂは、制御情報に基づいてページング情報を受信する。具体的に、端末デバイス＃Ｂは、制御情報によって示されるダウンリンクデータチャネル上でページング情報を受信し、ページング情報に対して復調及び復号化のような処理を実行して、ページング情報を取得する。
【０１９４】
ページング情報を取得した後、端末デバイス＃Ｂは、ページング情報に含まれているデバイス識別子に基づいて、端末デバイス＃Ｂがページングされるかどうかを判定する。ページング情報が端末デバイス＃Ｂのデバイス識別子を含む場合に、端末デバイス＃Ｂは、端末デバイス＃Ｂがページングされると決定する。ページング情報が端末デバイス＃Ｂのデバイス識別子を含まない場合に、端末デバイス＃Ｂは、端末デバイス＃Ｂがページングされないと決定する。
【０１９５】
本発明のこの実施形態で、ページング情報は、端末デバイス＃Ａのデバイス識別子を含む。ページング情報が端末デバイス＃Ａのデバイス識別子しか含まない場合に、上記の説明に対する逆の説明は次の通りである。端末デバイス＃Ｂがページングされると端末デバイス＃Ｂが決定する場合に、それは、端末デバイス＃Ｂ及び端末デバイス＃Ａが同じ端末デバイスであることを示す。端末デバイス＃Ｂがページングされないと端末デバイス＃Ｂが決定する場合に、それは、端末デバイス＃Ｂ及び端末デバイス＃Ａが異なる端末デバイスであることを示す。
【０１９６】
上述されたように、ページングされる必要がある複数の端末デバイス（端末デバイス＃Ａを含む。）がグループ＃Ａに属するとネットワークデバイスが決定する場合に、制御情報は、端末デバイス＃Ａのデバイス識別子を含むだけでなく、端末デバイス＃Ａ以外にページングされる必要がある複数の端末デバイスの中の端末デバイスのデバイス識別子も含む。すなわち、ページング情報は、複数の端末デバイスが第１ページングオケージョンにおいてページングされる必要があり且つグループ＃Ａに属するという条件で、複数の端末デバイスのデバイス識別子を含む。例えば、ページング情報が端末デバイス＃Ａのデバイス識別子を含むだけでなく、端末デバイス＃Ｂのデバイス識別子も含む場合に、ページング情報を取得した後に、端末デバイス＃Ｂは、ページング情報が端末デバイス＃Ｂのデバイス識別子を含むことを決定するとともに、端末デバイス＃Ｂがページングされることも決定する。
【０１９７】
第２グループ内の少なくとも１つの端末デバイスがページングされることを第１フィールドが示さない場合に、第２端末デバイスは、第２端末デバイスがページングされないと決定する。
【０１９８】
すなわち、第２グループ内の少なくとも１つの端末デバイスがページングされることをビット列＃Ａが示さない場合に、端末デバイス＃Ｂは、端末デバイス＃Ｂがページングされないと決定する。
【０１９９】
代替的に、端末デバイス＃Ｂが属するグループ＃Ｂを決定した後、端末デバイス＃Ｂは、前もってセットされたＭ個のビット列の中から、端末デバイス＃Ｂに対応する第２フィールドを決定し、第２フィールドはビット列＃Ｂ（第２ビット列の例）を含むことが理解され得る。すなわち、端末デバイス＃Ｂは、端末デバイス＃Ｂに対応するビット列＃Ｂを決定し、ビット列＃Ｂがビット列＃Ａと異なる場合に、端末デバイス＃Ｂは、端末デバイス＃Ｂがページングされないと決定する。
【０２００】
場合４と場合１及び場合２の夫々との間の相違点は、ネットワークデバイスが、ページングされる端末デバイスが属するグループの数に関わらず、１片の制御情報を送信し、制御情報が共通のＰ−ＲＮＴＩを使用することによってスクランブルされ、それにより、全ての端末デバイスが制御情報を受信することができる点であることが留意されるべきである。ネットワークデバイスは、ページングに関する情報（すなわち、第１フィールド）を制御情報に加え、端末デバイスは、制御情報に基づいて、端末デバイスがページングされるかどうかを更に判定する。
【０２０１】
任意に、制御情報は、２つのタイプの前もってセットされた制御情報の中の第１タイプの制御情報であり、２つのタイプの制御情報の中の第２タイプの制御情報は、ページングされる端末デバイスに基づいてネットワークデバイスによって送信される。
【０２０２】
すなわち、２つのタイプの制御情報はシステムにおいて設定される。第１タイプの制御情報は、本発明のこの実施形態で記載される制御情報である。詳細については、制御情報が全てグループに基づいて送信されるところの４つの場合における制御情報の記載を参照されたい。第２タイプの制御情報は、先行技術における制御情報であってよい。具体的に言えば、１片の制御情報しか１つのページングオケージョンのために送信されず、制御情報は、共通のＰ−ＲＮＴＩを使用することによってスクランブルされ、制御情報はページング情報を示し、如何なるグループ関連情報も含まない。
【０２０３】
ネットワークデバイスは、ページングされる端末デバイスの実際のステータスに基づいて、送信するための適切な制御情報を選択してよい。例えば、第１ページングオケージョンにおいてページングされる端末デバイスが異なるグループにおいて分布している場合に（すなわち、ページングされる端末デバイスは全て、限られた数のグループにおいて分配されているわけではない。）、先行技術における第２タイプの制御情報が選択され得る。これは、場合１及び場合２によりシグナリングが増大するという問題、又は場合３及び場合４により制御シグナリングのビットの数が増大するという問題を軽減することができる。
【０２０４】
他の例として、第１ページングオケージョンにおいてページングされる端末デバイスが全て、限られた数のグループにおいて分配される場合には、本発明のこの実施形態における第１タイプの制御情報が選択され得る。これは、端末デバイスの電力消費を有効に低減することができる。
【０２０５】
従って、本発明のこの実施形態における方法によれば、Ｎビットを含む第１フィールドが制御情報に加えられ、Ｎビットを含むビット列は、あるグループ内の少なくとも１つの端末デバイスがページングされることを示すために使用される。このようにして、第１ページングオケージョンにおいて起動する第２端末デバイスは、制御情報を受信して、該制御情報内の第１フィールドに基づいて、前もって、第２端末デバイスがページングされる可能性があるかどうかを判定することができる。特に、第２端末デバイスが属するグループが第１フィールドに対応するグループとは異なるとき、第２端末デバイスは、第１フィールドに基づいて、前もって、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【０２０６】
以上は、図１乃至図７を参照して、本発明の実施形態に従うページング決定方法について詳細に記載し、以下は、図８乃至図１１を参照して本発明の実施形態に従うページング決定装置について記載する。方法の実施形態で記載された技術的特徴は、次の装置の実施形態にも適用可能である。
【０２０７】
図８は、本発明の実施形態に従うページング決定装置７００の略ブロック図である。図８に示されるように、装置７００は、
第１ページングオケージョンにおいてページングされる第１端末デバイスが属する第１グループを決定するよう構成される処理ユニット７１０であり、第１グループはＭ個のグループに属する、処理ユニット７１０と、
処理ユニット７１０によって決定された第１グループに基づいて制御情報を送信するよう構成される送信ユニット７２０であり、制御情報はページング情報を示すために使用され、ページング情報は第１端末デバイスのデバイス識別子を含む、送信ユニット７２０と
を含む。
【０２０８】
任意に、Ｍ個のグループは、複数の端末デバイスのデバイス識別子に基づく分類により取得される。
【０２０９】
処理ユニット７１０は、具体的に、
第１端末デバイスのデバイス識別子に基づいて第１グループを決定するよう構成される。
【０２１０】
任意に、送信ユニット７２０は、具体的に、
第１グループに対応する第１グループ識別情報を決定し、
第１グループ識別情報に基づいて制御情報を生成し、
制御情報を送信する
よう構成される。
【０２１１】
任意に、処理ユニット７１０は、具体的に、
第１グループに対応する第１リソースを決定するよう構成され、このとき、第１リソースは、次のリソース：第１時間周波数リソース、第１時間領域リソース、第１周波数領域リソース、又は第１符号領域リソースのうちのいずれか１つである。
【０２１２】
送信ユニット７２０は、具体的に、
第１リソースで制御情報を送信するよう構成される。
【０２１３】
任意に、制御情報は第１フィールドを含み、第１フィールドはＭビットを含み、ＭビットはＭ個のグループに対応し、Ｍビットにおける第１グループに対応する第１ビットの値は、第１グループ内の少なくとも１つの端末デバイスがページングされることを示すために使用される。
【０２１４】
任意に、制御情報は第１フィールドを含み、第１フィールドはＮビットを含み、第１フィールドは、第１グループ内の少なくとも１つの端末デバイスがページングされることを示すために使用される。
【０２１５】
任意に、制御情報は、２つのタイプの前もってセットされた制御情報のうちの第１タイプの制御情報であり、２つのタイプの制御情報のうちの第２タイプの制御情報は、ページングされる端末デバイスに基づいてネットワークデバイスによって送信される。
【０２１６】
ページング決定装置７００は、方法２００で記載されるネットワークデバイスに対応してよく（例えば、それとして構成されても、あるいは、それ自体であってもよい。）、ページング決定装置７００における各モジュール又はユニットは、方法２００でネットワークデバイスによって実行される様々な動作又は処理プロセスを実行するよう構成される。繰り返しを避けるために、詳細な記載は、ここでは省略される。
【０２１７】
本発明のこの実施形態で、装置７００は、プロセッサ及びトランシーバを含んでよい。プロセッサは、トランシーバと通信接続している。任意に、装置はメモリを更に含み、メモリはプロセッサと通信接続している。任意に、プロセッサ、メモリ、及びトランシーバは、互いと通信接続してよく、メモリは、命令を記憶するよう構成されてよく、プロセッサは、メモリ内に記憶されている命令を実行して、トランシーバを、情報又は信号を送信するように制御するよう構成される。
【０２１８】
図８に示される装置７００内の処理ユニット７１０は、プロセッサに対応してよく、図８に示される装置７００内の送信ユニット７２０は、トランシーバに対応してよい。
【０２１９】
本発明の実施形態における上記の方法の実施形態は、プロセッサに適用されても、あるいは、プロセッサによって実装されてもよいことが留意されるべきである。プロセッサは、信号処理能力を備えた集積回路チップであってよい。実施プロセスにおいて、上記の方法の実施形態におけるステップは、プロセッサ内のハードウェア集積論理回路を使用することによって、又はソフトウェアの形をとる命令を使用することによって、実装され得る。プロセッサは、代替的に、汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）若しくは他のプログラム可能な論理デバイス、ディスクリートゲート、トランジスタ論理デバイス、又はディスクリートハードウェア部品であってもよい。本発明のこの実施形態で開示されている全ての方法、ステップ、及び論理ブロック図が実施又は実行されてよい。汎用プロセッサは、マイクロプロセッサであってよく、あるいは、プロセッサは、如何なる従来のプロセッサなどであってもよい。本発明の実施形態で開示されている方法のステップは、ハードウェア復号化プロセッサによって直接実行及び完了されても、あるいは、復号化プロセッサにおけるハードウェア及びソフトウェアモジュールの組み合わせを用いることによって実行及び完了されてもよい。ソフトウェアモジュールは、ランダム・アクセス・メモリ、フラッシュメモリ、リード・オンリー・メモリ、プログラム可能なリード・オンリー・メモリ、電気的消去可能なプログラム可能メモリ、又はレジスタのような、当該分野における成熟した記憶媒体に位置してよい。記憶媒体はメモリに位置し、プロセッサは、メモリ内の情報を読み出し、プロセッサのハードウェアとともに上記の方法におけるステップを完了する。
【０２２０】
本発明の実施形態におけるメモリは、揮発性メモリ又は不揮発性メモリであってよく、あるいは、揮発性メモリ及び不揮発性メモリを含んでもよいことが理解され得る。不揮発性メモリは、リード・オンリー・メモリ（Read-Only  Memory，ＲＯＭ）、プログラム可能なリード・オンリー・メモリ（Programmable  ROM，ＰＲＯＭ）、消去可能なプログラム可能リード・オンリー・メモリ（Erasable  PROM，ＥＰＲＯＭ）、電気的消去可能なプログラム可能リード・オンリー・メモリ（Electrically  EPROM，ＥＥＰＲＯＭ）、又はフラッシュメモリであってよい。揮発性メモリは、ランダム・アクセス・メモリ（Random  Access  Memory，ＲＡＭ）であってよく、外部キャッシュとして使用される。例えば、しかし制限なしに、多くの形のＲＡＭ、例えば、静的ランダム・アクセス・メモリ（Static  RAM，ＳＲＡＭ）、動的ランダム・アクセス・メモリ（Dynamic  RAM，ＤＲＡＭ）、同期型動的ランダム・アクセス・メモリ（Synchronous  DRAM，ＳＤＲＡＭ）、ダブル・データ・レート同期型動的ランダム・アクセス・メモリ（Double  Data  Rate  SDRAM，ＤＤＲ  ＳＤＲＡＭ）、拡張同期型動的ランダム・アクセス・メモリ（Enhanced  SDRAM，ＥＳＤＲＡＭ）、シンクリンク動的ランダム・アクセス・メモリ（Synchlink  DRAM，ＳＬＤＲＡＭ）、及び直接ラムバス・ランダム・アクセス・メモリ（Direct  Rambus  RAM，ＤＲ  ＲＡＭ）が利用可能である。本明細書中で記載されているシステム及び方法におけるメモリは、それらメモリとともに、他の適切なタイプのあらゆるメモリを含むことを目指すが、これらに限られない点が留意されるべきである。
【０２２１】
従って、本発明のこの実施形態におけるページング決定装置によれば、複数の端末デバイスはＭ個のグループに分類され、装置は、Ｍ個のグループの中で、第１ページングオケージョンにおいてページングされる第１端末デバイスが属する第１グループを決定し、該第１グループに基づいて、第１端末デバイスのデバイス識別子を含むページング情報を示すために使用される制御情報を送信する。このようにして、第１ページングオケージョンにおいて起動する端末デバイスは、端末デバイスが属するグループに基づいて制御情報をリッスン又は受信して、制御情報のリッスン結果及び制御情報に基づいて、端末デバイスがページングされる可能性があるかどうかを判定することができる。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【０２２２】
更に、ページングされる端末デバイスの数が比較的多く、ページング情報を運ぶダウンリンクデータチャネルの容量が比較的小さいとき、装置は、ページングされる端末デバイスの数と、ダウンリンクデータチャネルで運ばれ得る情報の量とに基づいて、限られた数のグループにおいて全て分配されている端末デバイスにページングすることを選択することができる。このようにして、限られた数のグループに属さない端末デバイスがリッスンにより制御情報を取得した後又は制御情報を受信した後、端末デバイスは、その端末デバイスがページングされないと決定し、スリープ状態を再開することができ、それによって、電力消費は有効に低減される。
【０２２３】
図９は、本発明の実施形態に従うページング決定装置８００の略ブロック図である。図９に示されるように、装置８００は、
第２端末デバイスが属する第２グループを決定するよう構成される処理ユニット８１０であり、第２グループはＭ個のグループに属する、処理ユニット８１０を含む。
【０２２４】
処理ユニット８１０は、第２グループに基づき第１ページングオケージョンにおいて、ネットワークデバイスによって送信される制御情報をリッスンするよう更に構成され、このとき、制御情報はページング情報を示すために使用され、ページング情報は少なくとも１つの端末デバイスのデバイス識別子を含み、少なくとも１つの端末デバイスは、第１ページングオケージョンにおいてページングされる端末デバイスであり、少なくとも１つの端末デバイスは、Ｍ個のグループのうちのいずれか１グループに属する。
【０２２５】
処理ユニット８１０は、制御情報のリッスン結果に基づいて、第２端末デバイスがページングされるかどうかを判定するよう更に構成される。
【０２２６】
任意に、処理ユニット８１０は、具体的に、
第２グループに対応する第２グループ識別情報を決定し、
第２グループ識別情報に基づき第１ページングオケージョンにおいて、ネットワークデバイスによって送信される制御情報をリッスンする
よう構成される。
【０２２７】
処理ユニット８１０は更に、具体的に、
制御情報がリッスンにより取得される場合に、制御情報に基づいてページング情報を受信し、ページング情報に基づいて、第２端末デバイスがページングされるかどうかを判定するよう、あるいは、
制御情報がリッスンにより取得されない場合に、第２端末デバイスがページングされないと決定するよう
構成される。
【０２２８】
任意に、処理ユニット８１０は、具体的に、
第２グループに対応する第２リソースを決定し、第２リソースは、次のリソース：第２時間周波数リソース、第２時間領域リソース、第２周波数領域リソース、又は第２符号領域リソースのうちのいずれか１つであり、
第２リソースで第１ページングオケージョンにおいて、ネットワークデバイスによって送信される制御情報をリッスンする
よう構成される。
【０２２９】
処理ユニット８１０は更に、具体的に、
制御情報がリッスンにより取得される場合に、制御情報に基づいてページング情報を受信し、ページング情報に基づいて、第２端末デバイスがページングされるかどうかを判定するよう、あるいは、
制御情報がリッスンにより取得されない場合に、第２端末デバイスがページングされないと決定するよう
構成される。
【０２３０】
ページング決定装置８００は、方法２００、３００、又は４００で記載される端末デバイスに対応してよく（例えば、それとして構成されても、あるいは、それ自体であってもよい。）、ページング決定装置８００における各モジュール又はユニットは、方法２００、３００、又は４００で端末デバイスによって実行される様々な動作又は処理プロセスを実行するよう構成される。繰り返しを避けるために、詳細な記載は、ここでは省略される。
【０２３１】
本発明のこの実施形態で、装置８００は、プロセッサ及びトランシーバを含んでよい。プロセッサは、トランシーバと通信接続している。任意に、装置はメモリを更に含み、メモリはプロセッサと通信接続している。任意に、プロセッサ、メモリ、及びトランシーバは、互いと通信接続してよく、メモリは、命令を記憶するよう構成されてよく、プロセッサは、メモリ内に記憶されている命令を実行して、トランシーバを、情報又は信号を送信するように制御するよう構成される。
【０２３２】
図９に示される装置８００内の処理ユニット８１０は、プロセッサに対応してよい。
【０２３３】
本発明の実施形態における上記の方法の実施形態は、プロセッサに適用されても、あるいは、プロセッサによって実装されてもよいことが留意されるべきである。プロセッサは、信号処理能力を備えた集積回路チップであってよい。実施プロセスにおいて、上記の方法の実施形態におけるステップは、プロセッサ内のハードウェア集積論理回路を使用することによって、又はソフトウェアの形をとる命令を使用することによって、実装され得る。プロセッサは、代替的に、汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）若しくは他のプログラム可能な論理デバイス、ディスクリートゲート、トランジスタ論理デバイス、又はディスクリートハードウェア部品であってもよい。本発明のこの実施形態で開示されている全ての方法、ステップ、及び論理ブロック図が実施又は実行されてよい。汎用プロセッサは、マイクロプロセッサであってよく、あるいは、プロセッサは、如何なる従来のプロセッサなどであってもよい。本発明の実施形態で開示されている方法のステップは、ハードウェア復号化プロセッサによって直接実行及び完了されても、あるいは、復号化プロセッサにおけるハードウェア及びソフトウェアモジュールの組み合わせを用いることによって実行及び完了されてもよい。ソフトウェアモジュールは、ランダム・アクセス・メモリ、フラッシュメモリ、リード・オンリー・メモリ、プログラム可能なリード・オンリー・メモリ、電気的消去可能なプログラム可能メモリ、又はレジスタのような、当該分野における成熟した記憶媒体に位置してよい。記憶媒体はメモリに位置し、プロセッサは、メモリ内の情報を読み出し、プロセッサのハードウェアとともに上記の方法におけるステップを完了する。
【０２３４】
本発明の実施形態におけるメモリは、揮発性メモリ又は不揮発性メモリであってよく、あるいは、揮発性メモリ及び不揮発性メモリを含んでもよいことが理解され得る。不揮発性メモリは、リード・オンリー・メモリ（Read-Only  Memory，ＲＯＭ）、プログラム可能なリード・オンリー・メモリ（Programmable  ROM，ＰＲＯＭ）、消去可能なプログラム可能リード・オンリー・メモリ（Erasable  PROM，ＥＰＲＯＭ）、電気的消去可能なプログラム可能リード・オンリー・メモリ（Electrically  EPROM，ＥＥＰＲＯＭ）、又はフラッシュメモリであってよい。揮発性メモリは、ランダム・アクセス・メモリ（Random  Access  Memory，ＲＡＭ）であってよく、外部キャッシュとして使用される。例えば、しかし制限なしに、多くの形のＲＡＭ、例えば、静的ランダム・アクセス・メモリ（Static  RAM，ＳＲＡＭ）、動的ランダム・アクセス・メモリ（Dynamic  RAM，ＤＲＡＭ）、同期型動的ランダム・アクセス・メモリ（Synchronous  DRAM，ＳＤＲＡＭ）、ダブル・データ・レート同期型動的ランダム・アクセス・メモリ（Double  Data  Rate  SDRAM，ＤＤＲ  ＳＤＲＡＭ）、拡張同期型動的ランダム・アクセス・メモリ（Enhanced  SDRAM，ＥＳＤＲＡＭ）、シンクリンク動的ランダム・アクセス・メモリ（Synchlink  DRAM，ＳＬＤＲＡＭ）、及び直接ラムバス・ランダム・アクセス・メモリ（Direct  Rambus  RAM，ＤＲ  ＲＡＭ）が利用可能である。本明細書中で記載されているシステム及び方法におけるメモリは、それらメモリとともに、他の適切なタイプのあらゆるメモリを含むことを目指すが、これらに限られない点が留意されるべきである。
【０２３５】
従って、本発明のこの実施形態におけるページング決定装置によれば、複数の端末デバイスはＭ個のグループに分類され、第２端末デバイスは、第２端末デバイスが属するグループに基づいて制御情報をリッスン又は受信して、制御情報のリッスン結果及び制御情報に基づいて、第２端末デバイスがページングされる可能性があるかどうかを判定する。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【０２３６】
図１０は、本発明の実施形態に従うページング決定装置９００の略ブロック図である。図１０に示されるように、装置９００は、
第２端末デバイスが属する第２グループを決定するよう構成される処理ユニット９１０であり、第２グループはＭ個のグループに属する、処理ユニット９１０を含む。
【０２３７】
処理ユニット９１０は、第１ページングオケージョンにおいて、ネットワークデバイスによって送信される制御情報を受信するよう更に構成され、このとき、制御情報はページング情報を示すために使用され、ページング情報は少なくとも１つの端末デバイスのデバイス識別子を含み、少なくとも１つの端末デバイスは、第１ページングオケージョンにおいてページングされる端末デバイスであり、少なくとも１つの端末デバイスは、Ｍ個のグループのうちのいずれか１グループに属する。
【０２３８】
制御情報は第１フィールドを含み、第１フィールドはＭビットを含み、ＭビットはＭ個のグループに対応し、各ビットの値は、対応するグループ内の少なくとも１つの端末デバイスがページングされることを示すために使用されるか、あるいは、各ビットの値は、対応するグループ内の端末デバイスがページングされないことを示すために使用される。
【０２３９】
処理ユニット９１０は、第１フィールド内の第２ビットに基づいて、第２端末デバイスがページングされるかどうかを判定するよう更に構成され、このとき、第２ビットはＭビットに属する。
【０２４０】
ページング決定装置９００は、方法２００又は５００で記載される端末デバイスに対応してよく（例えば、それとして構成されても、あるいは、それ自体であってもよい。）、ページング決定装置９００における各モジュール又はユニットは、方法２００又は５００で端末デバイスによって実行される様々な動作又は処理プロセスを実行するよう構成される。繰り返しを避けるために、詳細な記載は、ここでは省略される。
【０２４１】
本発明のこの実施形態で、装置９００は、プロセッサ及びトランシーバを含んでよい。プロセッサは、トランシーバと通信接続している。任意に、装置はメモリを更に含み、メモリはプロセッサと通信接続している。任意に、プロセッサ、メモリ、及びトランシーバは、互いと通信接続してよく、メモリは、命令を記憶するよう構成されてよく、プロセッサは、メモリ内に記憶されている命令を実行して、トランシーバを、情報又は信号を送信するように制御するよう構成される。
【０２４２】
図１０に示される装置９００内の処理ユニット９１０は、プロセッサに対応してよい。
【０２４３】
本発明の実施形態における上記の方法の実施形態は、プロセッサに適用されても、あるいは、プロセッサによって実装されてもよいことが留意されるべきである。プロセッサは、信号処理能力を備えた集積回路チップであってよい。実施プロセスにおいて、上記の方法の実施形態におけるステップは、プロセッサ内のハードウェア集積論理回路を使用することによって、又はソフトウェアの形をとる命令を使用することによって、実装され得る。プロセッサは、代替的に、汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）若しくは他のプログラム可能な論理デバイス、ディスクリートゲート、トランジスタ論理デバイス、又はディスクリートハードウェア部品であってもよい。本発明のこの実施形態で開示されている全ての方法、ステップ、及び論理ブロック図が実施又は実行されてよい。汎用プロセッサは、マイクロプロセッサであってよく、あるいは、プロセッサは、如何なる従来のプロセッサなどであってもよい。本発明の実施形態で開示されている方法のステップは、ハードウェア復号化プロセッサによって直接実行及び完了されても、あるいは、復号化プロセッサにおけるハードウェア及びソフトウェアモジュールの組み合わせを用いることによって実行及び完了されてもよい。ソフトウェアモジュールは、ランダム・アクセス・メモリ、フラッシュメモリ、リード・オンリー・メモリ、プログラム可能なリード・オンリー・メモリ、電気的消去可能なプログラム可能メモリ、又はレジスタのような、当該分野における成熟した記憶媒体に位置してよい。記憶媒体はメモリに位置し、プロセッサは、メモリ内の情報を読み出し、プロセッサのハードウェアとともに上記の方法におけるステップを完了する。
【０２４４】
本発明の実施形態におけるメモリは、揮発性メモリ又は不揮発性メモリであってよく、あるいは、揮発性メモリ及び不揮発性メモリを含んでもよいことが理解され得る。不揮発性メモリは、リード・オンリー・メモリ（Read-Only  Memory，ＲＯＭ）、プログラム可能なリード・オンリー・メモリ（Programmable  ROM，ＰＲＯＭ）、消去可能なプログラム可能リード・オンリー・メモリ（Erasable  PROM，ＥＰＲＯＭ）、電気的消去可能なプログラム可能リード・オンリー・メモリ（Electrically  EPROM，ＥＥＰＲＯＭ）、又はフラッシュメモリであってよい。揮発性メモリは、ランダム・アクセス・メモリ（Random  Access  Memory，ＲＡＭ）であってよく、外部キャッシュとして使用される。例えば、しかし制限なしに、多くの形のＲＡＭ、例えば、静的ランダム・アクセス・メモリ（Static  RAM，ＳＲＡＭ）、動的ランダム・アクセス・メモリ（Dynamic  RAM，ＤＲＡＭ）、同期型動的ランダム・アクセス・メモリ（Synchronous  DRAM，ＳＤＲＡＭ）、ダブル・データ・レート同期型動的ランダム・アクセス・メモリ（Double  Data  Rate  SDRAM，ＤＤＲ  ＳＤＲＡＭ）、拡張同期型動的ランダム・アクセス・メモリ（Enhanced  SDRAM，ＥＳＤＲＡＭ）、シンクリンク動的ランダム・アクセス・メモリ（Synchlink  DRAM，ＳＬＤＲＡＭ）、及び直接ラムバス・ランダム・アクセス・メモリ（Direct  Rambus  RAM，ＤＲ  ＲＡＭ）が利用可能である。本明細書中で記載されているシステム及び方法におけるメモリは、それらメモリとともに、他の適切なタイプのあらゆるメモリを含むことを目指すが、これらに限られない点が留意されるべきである。
【０２４５】
従って、本発明のこの実施形態における装置によれば、Ｍビットを含む第１フィールドが制御情報に加えられ、ＭビットはＭ個のグループに対応し、各ビットは、対応するグループ内の少なくとも１つの端末デバイスがページングされるかどうかを示すために使用される。このようにして、第１ページングオケージョンにおいて起動する第２端末デバイスは、制御情報を受信して、該制御情報内の第１フィールドに基づいて、前もって、第２端末デバイスがページングされる可能性があるかどうかを判定することができる。特に、第２端末デバイスがページングされる必要がないとき、第２端末デバイスは、制御情報のリッスン結果又は制御情報に基づいて、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【０２４６】
図１１は、本発明の実施形態に従うページング決定装置１０００の略ブロック図である。図１１に示されるように、装置１０００は、
第２端末デバイスが属する第２グループを決定するよう構成される処理ユニット１００１であり、第２グループはＭ個のグループに属する、処理ユニット１００１を含む。
【０２４７】
処理ユニット１００１は、第１ページングオケージョンにおいて、ネットワークデバイスによって送信される制御情報を受信するよう更に構成され、このとき、制御情報はページング情報を示すために使用され、ページング情報は少なくとも１つの端末デバイスのデバイス識別子を含み、少なくとも１つの端末デバイスは、第１ページングオケージョンにおいてページングされる端末デバイスであり、少なくとも１つの端末デバイスは、前記Ｍ個のグループのうちのいずれか１グループに属する。
【０２４８】
制御情報は第１フィールドを含み、第１フィールドはＮビットを含み、第１フィールドは、いずれかのグループ内の少なくとも１つの端末デバイスがページングされることを示すために使用される。
【０２４９】
処理ユニット１００１は、具体的に、
第２グループ内の少なくとも１つの端末デバイスがページングされることを第１フィールドが示す場合に、制御情報に基づいてページング情報を受信し、ページング情報に基づいて、第２端末デバイスがページングされるかどうかを判定するよう、あるいは、第２グループ内の少なくとも１つの端末デバイスがページングされることを第１フィールドが示さない場合に、第２端末デバイスがページングされないと決定するよう構成される。
【０２５０】
ページング決定装置１０００は、方法２００又は６００で記載される端末デバイスに対応してよく（例えば、それとして構成されても、あるいは、それ自体であってもよい。）、ページング決定装置１０００における各モジュール又はユニットは、方法２００又は６００で端末デバイスによって実行される様々な動作又は処理プロセスを実行するよう構成される。繰り返しを避けるために、詳細な記載は、ここでは省略される。
【０２５１】
本発明のこの実施形態で、装置１０００は、プロセッサ及びトランシーバを含んでよい。プロセッサは、トランシーバと通信接続している。任意に、装置はメモリを更に含み、メモリはプロセッサと通信接続している。任意に、プロセッサ、メモリ、及びトランシーバは、互いと通信接続してよく、メモリは、命令を記憶するよう構成されてよく、プロセッサは、メモリ内に記憶されている命令を実行して、トランシーバを、情報又は信号を送信するように制御するよう構成される。
【０２５２】
図１１に示される装置１０００内の処理ユニット１００１は、プロセッサに対応してよい。
【０２５３】
本発明の実施形態における上記の方法の実施形態は、プロセッサに適用されても、あるいは、プロセッサによって実装されてもよいことが留意されるべきである。プロセッサは、信号処理能力を備えた集積回路チップであってよい。実施プロセスにおいて、上記の方法の実施形態におけるステップは、プロセッサ内のハードウェア集積論理回路を使用することによって、又はソフトウェアの形をとる命令を使用することによって、実装され得る。プロセッサは、代替的に、汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）若しくは他のプログラム可能な論理デバイス、ディスクリートゲート、トランジスタ論理デバイス、又はディスクリートハードウェア部品であってもよい。本発明のこの実施形態で開示されている全ての方法、ステップ、及び論理ブロック図が実施又は実行されてよい。汎用プロセッサは、マイクロプロセッサであってよく、あるいは、プロセッサは、如何なる従来のプロセッサなどであってもよい。本発明の実施形態で開示されている方法のステップは、ハードウェア復号化プロセッサによって直接実行及び完了されても、あるいは、復号化プロセッサにおけるハードウェア及びソフトウェアモジュールの組み合わせを用いることによって実行及び完了されてもよい。ソフトウェアモジュールは、ランダム・アクセス・メモリ、フラッシュメモリ、リード・オンリー・メモリ、プログラム可能なリード・オンリー・メモリ、電気的消去可能なプログラム可能メモリ、又はレジスタのような、当該分野における成熟した記憶媒体に位置してよい。記憶媒体はメモリに位置し、プロセッサは、メモリ内の情報を読み出し、プロセッサのハードウェアとともに上記の方法におけるステップを完了する。
【０２５４】
本発明の実施形態におけるメモリは、揮発性メモリ又は不揮発性メモリであってよく、あるいは、揮発性メモリ及び不揮発性メモリを含んでもよいことが理解され得る。不揮発性メモリは、リード・オンリー・メモリ（Read-Only  Memory，ＲＯＭ）、プログラム可能なリード・オンリー・メモリ（Programmable  ROM，ＰＲＯＭ）、消去可能なプログラム可能リード・オンリー・メモリ（Erasable  PROM，ＥＰＲＯＭ）、電気的消去可能なプログラム可能リード・オンリー・メモリ（Electrically  EPROM，ＥＥＰＲＯＭ）、又はフラッシュメモリであってよい。揮発性メモリは、ランダム・アクセス・メモリ（Random  Access  Memory，ＲＡＭ）であってよく、外部キャッシュとして使用される。例えば、しかし制限なしに、多くの形のＲＡＭ、例えば、静的ランダム・アクセス・メモリ（Static  RAM，ＳＲＡＭ）、動的ランダム・アクセス・メモリ（Dynamic  RAM，ＤＲＡＭ）、同期型動的ランダム・アクセス・メモリ（Synchronous  DRAM，ＳＤＲＡＭ）、ダブル・データ・レート同期型動的ランダム・アクセス・メモリ（Double  Data  Rate  SDRAM，ＤＤＲ  ＳＤＲＡＭ）、拡張同期型動的ランダム・アクセス・メモリ（Enhanced  SDRAM，ＥＳＤＲＡＭ）、シンクリンク動的ランダム・アクセス・メモリ（Synchlink  DRAM，ＳＬＤＲＡＭ）、及び直接ラムバス・ランダム・アクセス・メモリ（Direct  Rambus  RAM，ＤＲ  ＲＡＭ）が利用可能である。本明細書中で記載されているシステム及び方法におけるメモリは、それらメモリとともに、他の適切なタイプのあらゆるメモリを含むことを目指すが、これらに限られない点が留意されるべきである。
【０２５５】
従って、本発明のこの実施形態における装置によれば、Ｎビットを含む第１フィールドが制御情報に加えられ、Ｎビットを含むビット列は、あるグループ内の少なくとも１つの端末デバイスがページングされることを示すために使用される。このようにして、第１ページングオケージョンにおいて起動する第２端末デバイスは、制御情報を受信して、該制御情報内の第１フィールドに基づいて、前もって、第２端末デバイスがページングされる可能性があるかどうかを判定することができる。特に、第２端末デバイスが属するグループが第１フィールドに対応するグループとは異なるとき、第２端末デバイスは、第１フィールドに基づいて、前もって、第２端末デバイスがページングされないと直接決定することができ、それにより、第２端末デバイスは、制御情報によって示されるページング情報に基づいて、第２端末デバイスがページングされるかどうかを決定する必要がもはやなく、それによって、第２端末デバイスの電力消費は有効に低減される。
【０２５６】
上記のプロセスの連続番号は、本発明の実施形態の中の様々な実施形態において実行順序を意味しないことが理解されるべきである。プロセスの実行順序は、プロセスの機能及び内部ロジックに基づいて決定されるべきであり、本発明の実施形態の実施プロセスに対する如何なる限定としても解釈されるべきではない。
【０２５７】
当業者は、本明細書中で開示されている実施形態を参照して記載されている例におけるユニット及びアルゴリズムステップが、電子ハードウェア又はコンピュータソフトウェアと電子ハードウェアとの組み合わせによって実装されてよいと気付き得る。機能がハードウェア又はソフトウェアによって実行されるかどうかは、技術的解決法の特定の用途及び設計制約条件に依存する。当業者は、夫々の特定の用途について、記載されている機能を実装するために異なる方法を使用してよいが、実施は、本発明の実施形態の適用範囲を越えると考えられるべきではない。
【０２５８】
当業者によって明りょうに理解され得るように、便宜上及び記載の簡単のために、システム、装置、及びユニットの詳細な作動プロセスについては、方法の実施形態における対応するプロセスを参照されたい。詳細は、ここで再び記載されない。
【０２５９】
本発明の実施形態で提供されるいくつかの実施形態において、開示されているシステム、装置、及び方法は、他の様態で実施されてもよいことが理解されるべきである。例えば、記載されている装置の実施形態は、一例にすぎない。例えば、ユニット分割は、論理的な機能分割にすぎず、実際の実施では他の分割であってもよい。例えば、複数のユニット又はコンポーネントが他のシステムへと結合又は統合されてよく、あるいは、いくつかの特徴は無視されても又は実行されなくてもよい。その上、表示又は議論されている相互結合又は直接結合若しくは通信接続は、何らかのインターフェイスを使用することによって実装されてよい。装置又はユニット間の間接的な結合又は通信接続は、電気的な、機械的な、又は他の形態で実装されてよい。
【０２６０】
別個の部分として記載されているユニットは、物理的に分離していてもいなくてもよく、ユニットとして表示されている部分は、物理的なユニットであってもなくてもよく、一箇所に位置しても、あるいは、複数のネットワークユニット上に分布してもよい。ユニットの一部又は全ては、実施形態の解決法の目的を達成するために、実際のニーズに従って選択されてよい。
【０２６１】
更に、本発明の実施形態における機能ユニットは、１つの処理ユニットに一体化されてよく、あるいは、ユニットの夫々は、物理的に単独で存続してよく、あるいは、２つ以上のユニットが１つのユニットに一体化される。
【０２６２】
機能がソフトウェア機能ユニットの形で実施され、独立した製品として販売又は使用されるとき、機能は、コンピュータ可読記憶媒体に記憶されてもよい。そのような理解に基づいて、本発明の実施形態における技術的解決法は本質的に、あるいは、先行技術に寄与する部分、又は技術的解決法の全て若しくは一部は、ソフトウェア製品の形で実施されてよい。コンピュータソフトウェア製品は、記憶媒体に記憶され、コンピュータデバイス（パーソナルコンピュータ、サーバ、ネットワークデバイス、などであってよい。）に、本発明の実施形態における方法のステップの全て又は一部を実行するように指示するためのいくつかの命令を含む。上記の記憶媒体には、ＵＳＢフラッシュドライブ、リムーバブルハードディスク、リード・オンリー・メモリ（Read-Only  Memory，ＲＯＭ）、ランダム・アクセス・メモリ（Random  Access  Memory，ＲＡＭ）、磁気ディスク、又は光ディスクのような、プログラムコードを記憶することができる如何なる媒体も含まれる。
【０２６３】
上記の記載は、本発明の特定の実施にすぎず、本願の保護範囲を制限する意図はない。本発明の実施形態で開示されている技術的範囲内で当業者によって容易に考え付かれる如何なる変更又は置換も、本発明の実施形態の保護範囲内にあるべきである。従って、本発明の実施形態の保護範囲は、特許請求の範囲の保護範囲に従うべきである。
【図１】
0006941188.tif 000002
【図２】
0006941188.tif 000003
【図３】
0006941188.tif 000004
【図４】
0006941188.tif 000005
【図５】
0006941188.tif 000006
【図６】
0006941188.tif 000007
【図７】
0006941188.tif 000008
【図８】
0006941188.tif 000009
【図９】
0006941188.tif 000010
【図１０】
0006941188.tif 000011
【図１１】
0006941188.tif 000012